(57)【要約】【課題】中間電線の影響を排除すること。【解決手段】ノイズ成分を低減させるノイズ低減素子１１、ノイズ低減素子１１の第１接続部が電気的に接続された導電性の第１回路接続部材１２及びノイズ低減素子１１の第２接続部が電気的に接続された導電性の第２回路接続部材１３を備えるフィルタ回路１０と、第１電線ＷＥ１の芯線ＷＥａの中間接続部ＷＥａ１を第１回路接続部材１２に対して電気的に接続させる第１電気接続構造３０と、一方の端部が接地されている第２電線ＷＥ２の芯線ＷＥａの中間接続部ＷＥａ２を第２回路接続部材１３に対して電気的に接続させる第２電気接続構造４０と、を備えること。【選択図】図１
2020014184.tif 000002
【特許請求の範囲】
【請求項１】
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、
第１電線の芯線の中間接続部を前記第１回路接続部材に対して電気的に接続させる第１電気接続構造と、
一方の端部が接地されている第２電線の芯線の中間接続部を前記第２回路接続部材に対して電気的に接続させる第２電気接続構造と、
を備えることを特徴としたノイズフィルタ。
【請求項２】
前記第１電気接続構造は、前記第１電線の前記芯線の前記中間接続部に対して物理的且つ電気的に接続される第１電線側接続体と、前記第１電線側接続体及び前記第１回路接続部材に対して物理的且つ電気的に接続される第１回路側接続体と、を備え、
前記第２電気接続構造は、前記第２電線の前記芯線の前記中間接続部に対して物理的且つ電気的に接続される第２電線側接続体と、前記第２電線側接続体及び前記第２回路接続部材に対して物理的且つ電気的に接続される第２回路側接続体と、を備えることを特徴とした請求項１に記載のノイズフィルタ。
【請求項３】
前記第１電気接続構造は、前記第１回路接続部材に設け、前記第１電線の前記芯線の前記中間接続部に対して間接的又は直接的に電気接続させる第１回路側接続体を備え、
前記第２電気接続構造は、前記第２回路接続部材に設け、前記第２電線の前記芯線の前記中間接続部に対して間接的又は直接的に電気接続させる第２回路側接続体を備えることを特徴とした請求項１に記載のノイズフィルタ。
【請求項４】
前記第１電気接続構造は、前記第１電線の前記芯線の前記中間接続部に対して物理的且つ電気的に接続される第１電線側接続部と、前記第１回路接続部材に対して物理的且つ電気的に接続される第１回路側接続部と、を有する第１電気接続部材であり、
前記第２電気接続構造は、前記第２電線の前記芯線の前記中間接続部に対して物理的且つ電気的に接続される第２電線側接続部と、前記第２回路接続部材に対して物理的且つ電気的に接続される第２回路側接続部と、を有する第２電気接続部材であることを特徴とした請求項１に記載のノイズフィルタ。
【請求項５】
前記第１電気接続構造は、併走させた前記第１電線及び前記第２電線の軸線方向に沿って挿入嵌合させることで互いを電気的に接続させる第１電線側接続体と第１回路側接続体とを備え、
前記第１電線側接続体は、前記第１電線の前記芯線の前記中間接続部に対して物理的且つ電気的に接続させ、
前記第１回路側接続体は、前記第１回路接続部材に設け、
前記第２電気接続構造は、併走させた前記第１電線及び前記第２電線の軸線方向に沿って挿入嵌合させることで互いを電気的に接続させる第２電線側接続体と第２回路側接続体とを備え、
前記第２電線側接続体は、前記第２電線の前記芯線の前記中間接続部に対して物理的且つ電気的に接続させ、
前記第２回路側接続体は、前記第２回路接続部材に設けることを特徴とした請求項１に記載のノイズフィルタ。
【請求項６】
前記フィルタ回路と前記第１電気接続構造と前記第２電気接続構造と前記第１電線の前記芯線の前記中間接続部と前記第２電線の前記芯線の前記中間接続部とを内方の収容室に収容し、前記収容室の中で併走させた前記第１電線及び前記第２電線のそれぞれの端部側を前記収容室の外に引き出す筐体を備え、
前記筐体は、前記収容室の外で前記第１電線及び前記第２電線の軸線方向の内の一方の第１突出方向に向けて突出させた突出体であり、前記第１電線及び前記第２電線を含む幹線に対して第１テープを一緒に巻き付けることで自らを前記幹線に抱え込ませるための第１突出保持体と、前記収容室の外で前記第１電線及び前記第２電線の軸線方向の内の他方の第２突出方向に向けて突出させた突出体であり、前記幹線に対して第２テープを一緒に巻き付けることで自らを前記幹線に抱え込ませるための第２突出保持体と、を有し、
前記第１突出保持体は、前記第１突出方向に向けて前記収容室の外に引き出された前記第１電線及び前記第２電線のそれぞれの一方の端部側で、かつ、前記幹線から分岐させた前記第１電線及び前記第２電線のそれぞれの第１分岐部に対向配置される対向配置部と、それぞれの前記第１分岐部とは逆側で前記第１テープを貼付させるテープ貼付部と、を有し、
前記第２突出保持体は、前記第２突出方向に向けて前記収容室の外に引き出された前記第１電線及び前記第２電線のそれぞれの他方の端部側で、かつ、前記幹線から分岐させた前記第１電線及び前記第２電線のそれぞれの第２分岐部に対向配置される対向配置部と、それぞれの前記第２分岐部とは逆側で前記第２テープを貼付させるテープ貼付部と、を有することを特徴とした請求項１から５の内の何れか１つに記載のノイズフィルタ。
【請求項７】
前記フィルタ回路と前記第１電気接続構造と前記第２電気接続構造と前記第１電線の前記芯線の前記中間接続部と前記第２電線の前記芯線の前記中間接続部とを内方の収容室に収容し、前記収容室の中で併走させた前記第１電線及び前記第２電線のそれぞれの端部側を前記収容室の外に引き出す筐体を備え、
前記筐体は、前記第１電線及び前記第２電線を含む幹線に巻き付けて自らを抱え込ませるバンドクランプ構造を有することを特徴とした請求項１から５の内の何れか１つに記載のノイズフィルタ。
【請求項８】
第１電線及び第２電線を含む幹線と、
ノイズ成分を低減させるノイズフィルタと、
を備え、
前記ノイズフィルタは、
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、
前記第１電線の芯線の中間接続部を前記第１回路接続部材に対して電気的に接続させる第１電気接続構造と、
一方の端部が接地されている前記第２電線の芯線の中間接続部を前記第２回路接続部材に対して電気的に接続させる第２電気接続構造と、
を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、第１電線の芯線の中間接続部を前記第１回路接続部材に対して電気的に接続させる第１電気接続構造と、一方の端部が接地されている第２電線の芯線の中間接続部を前記第２回路接続部材に対して電気的に接続させる第２電気接続構造と、を備えることを特徴としている。
【０００７】
ここで、前記第１電気接続構造は、前記第１電線の前記芯線の前記中間接続部に対して物理的且つ電気的に接続される第１電線側接続体と、前記第１電線側接続体及び前記第１回路接続部材に対して物理的且つ電気的に接続される第１回路側接続体と、を備え、前記第２電気接続構造は、前記第２電線の前記芯線の前記中間接続部に対して物理的且つ電気的に接続される第２電線側接続体と、前記第２電線側接続体及び前記第２回路接続部材に対して物理的且つ電気的に接続される第２回路側接続体と、を備えることが望ましい。
【０００８】
また、前記第１電気接続構造は、前記第１回路接続部材に設け、前記第１電線の前記芯線の前記中間接続部に対して間接的又は直接的に電気接続させる第１回路側接続体を備え、前記第２電気接続構造は、前記第２回路接続部材に設け、前記第２電線の前記芯線の前記中間接続部に対して間接的又は直接的に電気接続させる第２回路側接続体を備えることが望ましい。
【０００９】
また、前記第１電気接続構造は、前記第１電線の前記芯線の前記中間接続部に対して物理的且つ電気的に接続される第１電線側接続部と、前記第１回路接続部材に対して物理的且つ電気的に接続される第１回路側接続部と、を有する第１電気接続部材であり、前記第２電気接続構造は、前記第２電線の前記芯線の前記中間接続部に対して物理的且つ電気的に接続される第２電線側接続部と、前記第２回路接続部材に対して物理的且つ電気的に接続される第２回路側接続部と、を有する第２電気接続部材であることが望ましい。
【００１０】
また、前記第１電気接続構造は、併走させた前記第１電線及び前記第２電線の軸線方向に沿って挿入嵌合させることで互いを電気的に接続させる第１電線側接続体と第１回路側接続体とを備え、前記第１電線側接続体は、前記第１電線の前記芯線の前記中間接続部に対して物理的且つ電気的に接続させ、前記第１回路側接続体は、前記第１回路接続部材に設け、前記第２電気接続構造は、併走させた前記第１電線及び前記第２電線の軸線方向に沿って挿入嵌合させることで互いを電気的に接続させる第２電線側接続体と第２回路側接続体とを備え、前記第２電線側接続体は、前記第２電線の前記芯線の前記中間接続部に対して物理的且つ電気的に接続させ、前記第２回路側接続体は、前記第２回路接続部材に設けることが望ましい。
【００１１】
また、前記フィルタ回路と前記第１電気接続構造と前記第２電気接続構造と前記第１電線の前記芯線の前記中間接続部と前記第２電線の前記芯線の前記中間接続部とを内方の収容室に収容し、前記収容室の中で併走させた前記第１電線及び前記第２電線のそれぞれの端部側を前記収容室の外に引き出す筐体を備え、前記筐体は、前記収容室の外で前記第１電線及び前記第２電線の軸線方向の内の一方の第１突出方向に向けて突出させた突出体であり、前記第１電線及び前記第２電線を含む幹線に対して第１テープを一緒に巻き付けることで自らを前記幹線に抱え込ませるための第１突出保持体と、前記収容室の外で前記第１電線及び前記第２電線の軸線方向の内の他方の第２突出方向に向けて突出させた突出体であり、前記幹線に対して第２テープを一緒に巻き付けることで自らを前記幹線に抱え込ませるための第２突出保持体と、を有し、前記第１突出保持体は、前記第１突出方向に向けて前記収容室の外に引き出された前記第１電線及び前記第２電線のそれぞれの一方の端部側で、かつ、前記幹線から分岐させた前記第１電線及び前記第２電線のそれぞれの第１分岐部に対向配置される対向配置部と、それぞれの前記第１分岐部とは逆側で前記第１テープを貼付させるテープ貼付部と、を有し、前記第２突出保持体は、前記第２突出方向に向けて前記収容室の外に引き出された前記第１電線及び前記第２電線のそれぞれの他方の端部側で、かつ、前記幹線から分岐させた前記第１電線及び前記第２電線のそれぞれの第２分岐部に対向配置される対向配置部と、それぞれの前記第２分岐部とは逆側で前記第２テープを貼付させるテープ貼付部と、を有することが望ましい。
【００１２】
また、前記フィルタ回路と前記第１電気接続構造と前記第２電気接続構造と前記第１電線の前記芯線の前記中間接続部と前記第２電線の前記芯線の前記中間接続部とを内方の収容室に収容し、前記収容室の中で併走させた前記第１電線及び前記第２電線のそれぞれの端部側を前記収容室の外に引き出す筐体を備え、前記筐体は、前記第１電線及び前記第２電線を含む幹線に巻き付けて自らを抱え込ませるバンドクランプ構造を有することが望ましい。
【００１３】
また、上記目的を達成する為、本発明に係るワイヤハーネスは、第１電線及び第２電線を含む幹線と、ノイズ成分を低減させるノイズフィルタと、を備え、前記ノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備えるフィルタ回路と、前記第１電線の芯線の中間接続部を前記第１回路接続部材に対して電気的に接続させる第１電気接続構造と、一方の端部が接地されている前記第２電線の芯線の中間接続部を前記第２回路接続部材に対して電気的に接続させる第２電気接続構造と、を備えることを特徴としている。
【発明の効果】
【００１４】
本発明に係るノイズフィルタにおいては、第１電線の中間接続部と第２電線の中間接続部との間にフィルタ回路を介在させ、そのフィルタ回路をそれぞれの中間接続部に対して電気的に接続している。例えば、その第１電線と第２電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。また、本発明に係るワイヤハーネスは、そのようなノイズフィルタを具備するものであり、このノイズフィルタが得られる効果を奏することができる。
【図面の簡単な説明】
【００１５】
【図１】図１は、実施形態のノイズフィルタ及びワイヤハーネスを示す斜視図である。
【図２】図２は、実施形態のノイズフィルタ及びワイヤハーネスを示す分解斜視図である。
【図３】図３は、実施形態のノイズフィルタ及びワイヤハーネスを別角度から見た分解斜視図である。
【図４】図４は、実施形態のノイズフィルタのフィルタ回路を示す斜視図である。
【図５】図５は、図１のＸ１−Ｘ１線断面とＸ２−Ｘ２線断面とを簡略化して示す断面図である。
【図６】図６は、実施形態のノイズフィルタ及びワイヤハーネスの組付け工程の一部を示す断面図である。
【図７】図７は、実施形態のノイズフィルタのフィルタ回路特性の概念図である。
【図８】図８は、実施形態のノイズフィルタ及びワイヤハーネスの第１変形形態を示す分解斜視図である。
【図９】図９は、実施形態のノイズフィルタ及びワイヤハーネスの第１変形形態を示す斜視図である。
【図１０】図１０は、第１変形形態の第２筐体部材を示す斜視図である。
【図１１】図１１は、実施形態のノイズフィルタ及びワイヤハーネスの第２変形形態を示す分解斜視図である。
【図１２】図１２は、実施形態のノイズフィルタ及びワイヤハーネスの第２変形形態を示す斜視図である。
【図１３】図１３は、実施形態のノイズフィルタ及びワイヤハーネスの第３変形形態を示す斜視図である。
【図１４】図１４は、実施形態のノイズフィルタ及びワイヤハーネスの第４変形形態を示す斜視図である。
【図１５】図１５は、第４変形形態の第１及び第２の回路接続体を示す斜視図である。
【図１６】図１６は、実施形態のノイズフィルタ及びワイヤハーネスの第５変形形態を示す斜視図である。
【図１７】図１７は、実施形態のノイズフィルタ及びワイヤハーネスの第６変形形態を示す分解斜視図である。
【図１８】図１８は、実施形態のノイズフィルタ及びワイヤハーネスの第６変形形態を示す斜視図である。
【図１９】図１９は、図１７のＹ−Ｙ線断面図である。
【図２０】図２０は、図１８のＹ−Ｙ線断面図である。
【図２１】図２１は、変形例１のノイズフィルタ及びワイヤハーネスを示す分解斜視図である。
【図２２】図２２は、変形例１のノイズフィルタ及びワイヤハーネスを示す斜視図である。
【図２３】図２３は、変形例１の第１電気接続部材と第２電気接続部材とを示す斜視図である。
【図２４】図２４は、変形例１の第１連結体と第２連結体とを示す斜視図である。
【図２５】図２５は、変形例１のノイズフィルタのフィルタ回路特性の概念図である。
【図２６】図２６は、変形例１のノイズフィルタ及びワイヤハーネスの第１変形形態を示す分解斜視図である。
【図２７】図２７は、変形例１のノイズフィルタ及びワイヤハーネスの第１変形形態の内部構造を示す斜視図である。
【図２８】図２８は、変形例１のノイズフィルタ及びワイヤハーネスの第２変形形態を示す分解斜視図である。
【図２９】図２９は、変形例１のノイズフィルタ及びワイヤハーネスの第２変形形態の内部構造を示す斜視図である。
【図３０】図３０は、変形例２のノイズフィルタ及びワイヤハーネスを示す斜視図である。
【図３１】図３１は、変形例２のノイズフィルタ及びワイヤハーネスを示す分解斜視図である。
【図３２】図３２は、変形例２のノイズフィルタ及びワイヤハーネスを別角度から見た分解斜視図である。
【図３３】図３３は、変形例２のノイズフィルタのフィルタ回路を示す斜視図である。
【図３４】図３４は、図３０のＸ３−Ｘ３線断面図である。
【図３５】図３５は、ノイズフィルタの取付構造の一例を示す斜視図である。
【図３６】図３６は、ノイズフィルタの幹線及び車体への取付状態の一例を示す斜視図である。
【図３７】図３７は、ノイズフィルタの車体への取付構造の他の例を示す斜視図である。
【図３８】図３８は、ノイズフィルタの幹線への取付構造の他の例を示す斜視図である。
【発明を実施するための形態】
【００１６】
以下に、本発明に係るノイズフィルタ及びワイヤハーネスの実施形態を図面に基づいて詳細に説明する。尚、この実施形態によりこの発明が限定されるものではない。
【００１７】
［実施形態］
本発明に係るノイズフィルタ及びワイヤハーネスの実施形態の１つを図１から図２０に基づいて説明する。
【００１８】
図１から図３の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１９】
［ノイズフィルタ１Ａ］
以下においては、このノイズフィルタ１の一例としてのノイズフィルタ１Ａを説明する（図１から図３）。
【００２０】
ノイズフィルタ１Ａは、ノイズ成分を低減させるフィルタ回路１０を備えるノイズ低減装置であり（図１から図３）、例えば、第１電線ＷＥ１に乗った電気的なノイズ成分をフィルタ回路１０で低減させる。
【００２１】
フィルタ回路１０は、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。
【００２２】
このフィルタ回路１０は、その第１電線ＷＥ１の中間接続部ＷＥａ１と第２電線ＷＥ２の中間接続部ＷＥａ２との間に介在させ、それぞれの中間接続部ＷＥａ１，ＷＥａ２に対して電気的に接続させる（図１）。
【００２３】
フィルタ回路１０は、ノイズ成分を低減させる少なくとも１つのノイズ低減素子１１と、このノイズ低減素子１１の第１接続部（以下、「第１素子接続部」という。）が電気的に接続された導電性の第１接続部材（以下、「第１回路接続部材」という。）１２と、そのノイズ低減素子１１の第２接続部（以下、「第２素子接続部」という。）が電気的に接続された導電性の第２接続部材（以下、「第２回路接続部材」という。）１３と、を備える（図１から図３）。尚、第１素子接続部と第２素子接続部については、図示を省略している。
【００２４】
ノイズ低減素子１１は、このノイズフィルタ１Ａの回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１から図３）。
【００２５】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で板状のバスバとして成形されている。
【００２６】
第１回路接続部材１２と第２回路接続部材１３は、各々、平板状の主体１２ａ，１３ａを有する（図１から図３）。このフィルタ回路１０においては、それぞれの主体１２ａ，１３ａが同一の平面上に配置されるように、第１回路接続部材１２と第２回路接続部材１３とを並べて配置している。そして、このフィルタ回路１０においては、第１回路接続部材１２の主体１２ａにノイズ低減素子１１の第１素子接続部を物理的且つ電気的に接続し、かつ、第２回路接続部材１３の主体１３ａにノイズ低減素子１１の第２素子接続部を物理的且つ電気的に接続する。その接続形態としては、ノイズ低減素子１１の第１素子接続部や第２素子接続部の形態に応じて、例えば溶着や半田付け等が適用される。
【００２７】
第１回路接続部材１２は、第１電線ＷＥ１の中間接続部ＷＥａ１に対して間接的に電気接続させる第１回路側接続体１２ｂを有する（図１から図３）。その第１回路側接続体１２ｂは、後述するように、第１電気接続構造３０の構成要素となる。また、第２回路接続部材１３は、第２電線ＷＥ２の中間接続部ＷＥａ２に対して間接的に電気接続させる第２回路側接続体１３ｂを有する（図１から図３）。その第２回路側接続体１３ｂは、後述するように、第２電気接続構造４０の構成要素となる。
【００２８】
この例示のフィルタ回路１０においては、２つのノイズ低減素子１１が絶縁性のモールド体１４で覆われている（図１から図３）。そのモールド体１４は、２つのノイズ低減素子１１と第１回路接続部材１２の主体１２ａと第２回路接続部材１３の主体１３ａとの間に注入したモールド剤の固化物であり、２つのノイズ低減素子１１と主体１２ａとの接続部分及び２つのノイズ低減素子１１と主体１３ａとの接続部分についても覆っている。
【００２９】
更に、このノイズフィルタ１Ａは、フィルタ回路１０と第１電線ＷＥ１の中間接続部ＷＥａ１と第２電線ＷＥ２の中間接続部ＷＥａ２とを内方の収容室２０ａ（図１）に収容すると共に、第１電線ＷＥ１におけるそれぞれの端部側を内方の収容室２０ａから外方へと引き出し、かつ、第２電線ＷＥ２におけるそれぞれの端部側を内方の収容室２０ａから外方へと引き出す筐体２０を備える（図１から図３）。その筐体２０は、合成樹脂等の絶縁性材料で成形する。この筐体２０は、第１筐体部材２１と第２筐体部材２２とを互いに嵌め合わせることによって、収容室２０ａを形成する。
【００３０】
第１筐体部材２１は、内壁面２１ａ1にフィルタ回路１０が設置される主壁体２１ａと、この主壁体２１ａの周縁部から立設させた周壁体２１ｂ−２１ｅと、を有する（図２）。この例示の第１筐体部材２１は、矩形の平板状の主壁体２１ａと、この主壁体２１ａの４つの辺部から各々垂設させた平板状の第１から第４の周壁体２１ｂ−２１ｅと、を有している。第１筐体部材２１は、第１から第４の周壁体２１ｂ−２１ｅの縁部から成る開口２１ｆを有している。
【００３１】
この第１筐体部材２１の主壁体２１ａの内壁面２１ａ1側には、第１回路接続部材１２と第２回路接続部材１３とを設置する（図１及び図２）。
【００３２】
例えば、第１回路接続部材１２と第２回路接続部材１３は、各々、主体１２ａ，１３ａの壁面を主壁体２１ａの内壁面２１ａ1に載せ置き、その内壁面２１ａ1に係合機構（図示略）で固定する。その係合機構とは、例えば、主壁体２１ａの内壁面２１ａ1の複数箇所に設けた爪部等の係止部で主体を保持するロック機構のことである。また、ここでは、第１回路接続部材１２と第２回路接続部材１３とに対して第１筐体部材２１を一体成形させることによって、第１筐体部材２１の主壁体２１ａの内壁面２１ａ1側に第１回路接続部材１２と第２回路接続部材１３とを設置してもよい。この場合、第１回路接続部材１２と第２回路接続部材１３のそれぞれの主体１２ａ，１３ａにおいては、第１筐体部材２１の主壁体２１ａの内壁面２１ａ1側で壁面を露出させておく。
【００３３】
第２筐体部材２２は、第１筐体部材２１の主壁体２１ａの内壁面２１ａ1に間隔を空けて対向配置される主壁体２２ａを有するものであり、第１筐体部材２１の開口を塞ぐ。この例示の第２筐体部材２２は、更に、その主壁体２２ａの周縁部から立設させた周壁体２２ｂ−２２ｅを有する（図３）。ここでは、矩形の平板状の主壁体２２ａと、この主壁体２２ａの４つの辺部から各々垂設させた平板状の第１から第４の周壁体２２ｂ−２２ｅと、を有している。第２筐体部材２２は、第１から第４の周壁体２２ｂ−２２ｅの縁部から成る開口２２ｆを有している。
【００３４】
この例示の筐体２０においては、第１筐体部材２１と第２筐体部材２２のそれぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、それぞれの第４周壁体２１ｅ，２２ｅ同士を対向配置させる。
【００３５】
この例示の筐体２０は、第１電線ＷＥ１と第２電線ＷＥ２とを並列配置状態で収容室２０ａに収容し、その収容室２０ａの中で第１電線ＷＥ１と第２電線ＷＥ２とを併走させる。この筐体２０においては、第１筐体部材２１における対向配置状態の第１周壁体２１ｂ及び第２周壁体２１ｃ並びに第２筐体部材２２における対向配置状態の第１周壁体２２ｂ及び第２周壁体２２ｃから第１電線ＷＥ１と第２電線ＷＥ２とを外方に引き出している。
【００３６】
第１筐体部材２１と第２筐体部材２２のそれぞれの第１周壁体２１ｂ，２２ｂは、各々、第１電線ＷＥ１の一方の端部側を外方に引き出させる第１引出口２１ｂ1，２２ｂ1と、第２電線ＷＥ２の一方の端部側を外方に引き出させる第２引出口２１ｂ2，２２ｂ2と、を有する（図２及び図３）。それぞれの第１周壁体２１ｂ，２２ｂにおいては、第１引出口２１ｂ1，２２ｂ1同士を対向配置させ、かつ、第２引出口２１ｂ2，２２ｂ2同士を対向配置させる。
【００３７】
第１筐体部材２１と第２筐体部材２２のそれぞれの第２周壁体２１ｃ，２２ｃは、各々、第１電線ＷＥ１の他方の端部側を外方に引き出させる第３引出口２１ｃ1，２２ｃ1と、第２電線ＷＥ２の他方の端部側を外方に引き出させる第４引出口２１ｃ2，２２ｃ2と、を有する（図２及び図３）。それぞれの第２周壁体２１ｃ，２２ｃにおいては、第３引出口２１ｃ1，２２ｃ1同士を対向配置させ、かつ、第４引出口２１ｃ2，２２ｃ2同士を対向配置させる。
【００３８】
尚、この例示の筐体２０は、ノイズフィルタ１Ａの設置対象物に対して保持させる保持体２３を有している（図３）。その保持体２３は、設置対象物の相手方保持体（図示略）に係合させることによって、設置対象物に筐体２０を保持させる。ここでは、その保持体２３を第１筐体部材２１の主壁体２１ａの外壁面に設けている。
【００３９】
更に、このノイズフィルタ１Ａは、第１電線ＷＥ１の中間接続部ＷＥａ１をフィルタ回路１０の第１回路接続部材１２に対して電気的に接続させる第１電気接続構造３０と、第２電線ＷＥ２の中間接続部ＷＥａ２をフィルタ回路１０の第２回路接続部材１３に対して電気的に接続させる第２電気接続構造４０と、を備える（図１から図３）。筐体２０の収容室２０ａには、その第１電気接続構造３０と第２電気接続構造４０についても収容される。
【００４０】
第１電気接続構造３０は、第１電線ＷＥ１の軸線方向が第１回路接続部材１２の主体１２ａの平面に沿うように、その相互間の接続を行う。また、第２電気接続構造４０は、第２電線ＷＥ２の軸線方向が第２回路接続部材１３の主体１３ａの平面に沿うように、その相互間の接続を行う。そして、第１電気接続構造３０と第２電気接続構造４０は、第１電線ＷＥ１と第２電線ＷＥ２のそれぞれの軸線方向が同じ方向を向くように、第１電線ＷＥ１と第１回路接続部材１２との間の接続及び第２電線ＷＥ２と第２回路接続部材１３との間の接続を行う。
【００４１】
第１電気接続構造３０は、第１電線ＷＥ１の中間接続部ＷＥａ１に対して物理的且つ電気的に接続される第１電線側接続体３１と、その第１電線側接続体３１と第１回路接続部材１２とに対して物理的且つ電気的に接続される第１回路側接続体３２と、を備える（図１及び図２）。
【００４２】
この例示の第１電線側接続体３１は、そのものが金属等の導電性材料で１つの部材（第１電線側接続部材）として成形されている。例えば、この第１電線側接続体３１は、矩形の金属板を第１電線ＷＥ１の中間接続部ＷＥａ１に対して巻き付けながら加締めていくことによって、その中間接続部ＷＥａ１に対して物理的且つ電気的に接続された筒状部材となる。この例示の第１電線側接続体３１は、円筒状に成形している（図１及び図２）。
【００４３】
第１回路側接続体３２は、第１電線ＷＥ１の中間接続部ＷＥａ１に対して間接的に電気接続させるものとして形成する。この例示の第１回路側接続体３２は、第１電線ＷＥ１の中間接続部ＷＥａ１に対して間接的に作用させた弾発力によって、その中間接続部ＷＥａ１に対して間接的に電気接続させる。具体的に、この第１回路側接続体３２は、第１電線側接続体３１に対して直接的に弾発力を作用させ、その第１電線側接続体３１に作用させた弾発力によって第１電線ＷＥ１の中間接続部ＷＥａ１に対して間接的に電気接続させる。この第１回路側接続体３２は、第１回路接続部材１２に設ける。この第１回路側接続体３２は、そのものが１つの部材として成形されたものであってもよく、或る部材が自らの一部として有するものであってもよい。
【００４４】
前者の第１回路側接続体３２は、第１回路接続部材１２とは別の部材として成形する。この第１回路側接続体３２は、第１回路接続部材１２に対して溶接等で物理的且つ電気的に接続させることによって、この第１回路接続部材１２に設ける。
【００４５】
また、後者の第１回路側接続体３２は、例えば、第１回路接続部材１２の主体１２ａと共に一体となって成形されたものであり、第１回路接続部材１２が有するものとして設ける。この例示の第１電気接続構造３０は、この後者の第１回路側接続体３２を備えている（図１から図３）。ここでは、第１回路接続部材１２の第１回路側接続体１２ｂを第１電気接続構造３０の第１回路側接続体３２として利用する。
【００４６】
この第１回路側接続体３２（１２ｂ）は、第１回路接続部材１２の主体１２ａから自由端側を浮き上がらせた片持ちの片体状で且つ弾性を持つ片部（以下、「弾性片部」という。）３２ａと、この弾性片部３２ａの自由端に設け、第１電線側接続体３１に対して直接的に電気接続させる接点部３２ｂと、を有する（図４から図６）。この第１回路側接続体３２は、弾性片部３２ａで弾発力を発生させると共に、その弾発力を接点部３２ｂから第１電線側接続体３１に対して直接的に作用させることによって、この第１電線側接続体３１に対して物理的且つ電気的に接続される。よって、この第１回路側接続体３２は、第１電線ＷＥ１の中間接続部ＷＥａ１に対して第１電線側接続体３１を介して間接的に電気接続させることができる。
【００４７】
第２電気接続構造４０は、第２電線ＷＥ２の中間接続部ＷＥａ２に対して物理的且つ電気的に接続される第２電線側接続体４１と、その第２電線側接続体４１と第２回路接続部材１３とに対して物理的且つ電気的に接続される第２回路側接続体４２と、を備える（図１から図３）。
【００４８】
この例示の第２電線側接続体４１は、第１電線側接続体３１と同じ円筒状の筒状部材であり、矩形の金属板を第２電線ＷＥ２の中間接続部ＷＥａ２に対して巻き付けながら加締めていくことによって、その中間接続部ＷＥａ２に対して物理的且つ電気的に接続させる（図１から図３）。
【００４９】
第２回路側接続体４２は、第２電線ＷＥ２の中間接続部ＷＥａ２に対して間接的に電気接続させるものとして形成する。この例示の第２回路側接続体４２は、第２電線ＷＥ２の中間接続部ＷＥａ２に対して間接的に作用させた弾発力によって、その中間接続部ＷＥａ２に対して間接的に電気接続させる。具体的に、この第２回路側接続体４２は、第２電線側接続体４１に対して直接的に弾発力を作用させ、その第２電線側接続体４１に作用させた弾発力によって第２電線ＷＥ２の中間接続部ＷＥａ２に対して間接的に電気接続させる。この第２回路側接続体４２は、第２回路接続部材１３に設ける。この第２回路側接続体４２は、第１回路側接続体３２と同じように、そのものが１つの部材として成形されたものであってもよく、或る部材が自らの一部として有するものであってもよい。この例示の第２回路側接続体４２は、第２回路接続部材１３の主体１３ａと共に一体となって成形されたものであり、第２回路接続部材１３が有するものとして設ける。ここでは、第２回路接続部材１３の第２回路側接続体１３ｂを第２電気接続構造４０の第２回路側接続体４２として利用する。
【００５０】
この第２回路側接続体４２（１３ｂ）は、第１回路側接続体３２（１２ｂ）と同等の形状に形成する。よって、この第２回路側接続体４２は、第２回路接続部材１３の主体１３ａから自由端側を浮き上がらせた片持ちの片体状で且つ弾性を持つ片部（以下、「弾性片部」という。）４２ａと、この弾性片部４２ａの自由端に設け、第２電線側接続体４１に対して直接的に電気接続させる接点部４２ｂと、を有する（図４から図６）。この第２回路側接続体４２は、弾性片部４２ａで弾発力を発生させると共に、その弾発力を接点部４２ｂから第２電線側接続体４１に対して直接的に作用させることによって、この第２電線側接続体４１に対して物理的且つ電気的に接続される。よって、この第２回路側接続体４２は、第２電線ＷＥ２の中間接続部ＷＥａ２に対して第２電線側接続体４１を介して間接的に電気接続させることができる。
【００５１】
ここで、第１回路側接続体３２の弾発力は、第１筐体部材２１と第２筐体部材２２とを嵌め合わせた際に、第１回路接続部材１２と第１電線側接続体３１とを第１筐体部材２１の主壁体２１ａの内壁面２１ａ1側と第２筐体部材２２の主壁体２２ａの内壁面２２ａ1側とで挟持させることによって発生させる（図５）。よって、第１電気接続構造３０においては、第１電線側接続体３１と第１回路側接続体３２（第１回路接続部材１２の第１回路側接続体１２ｂ）とを第１筐体部材２１と第２筐体部材２２の嵌合方向で対向配置させる。
【００５２】
また、第２回路側接続体４２の弾発力は、第１筐体部材２１と第２筐体部材２２とを嵌め合わせた際に、第２回路接続部材１３と第２電線側接続体４１とを第１筐体部材２１の主壁体２１ａの内壁面２１ａ1側と第２筐体部材２２の主壁体２２ａの内壁面２２ａ1側とで挟持させることによって発生させる（図５）。よって、第２電気接続構造４０においては、第２電線側接続体４１と第２回路側接続体４２（第２回路接続部材１３の第２回路側接続体１３ｂ）とを第１筐体部材２１と第２筐体部材２２の嵌合方向で対向配置させる。
【００５３】
このノイズフィルタ１Ａにおいては、第１回路側接続体３２と第２回路側接続体４２とに弾発力を発生させるべく、第１筐体部材２１と第２筐体部材２２の嵌合方向にて、第１電線側接続体３１を第１回路側接続体３２の接点部３２ｂと第２筐体部材２２の主壁体２２ａの内壁面２２ａ1側とで挟持させ、かつ、第２電線側接続体４１を第２回路側接続体４２の接点部４２ｂと第２筐体部材２２の主壁体２２ａの内壁面２２ａ1側とで挟持させる（図５）。つまり、ここでは、第１筐体部材２１と第２筐体部材２２の嵌合方向が、第１電線側接続体３１や第２電線側接続体４１に対しての挟持方向（以下、「電線挟持方向」という。）になる。
【００５４】
第２筐体部材２２の主壁体２２ａの内壁面２２ａ1には、第１回路側接続体３２の接点部３２ｂとの間で第１電線ＷＥ１の中間接続部ＷＥａ１を間接的に挟持する第１挟持体２４と、第２回路側接続体４２の接点部４２ｂとの間で第２電線ＷＥ２の中間接続部ＷＥａ２を間接的に挟持する第２挟持体２５と、を少なくとも１つずつ設けている（図３、図５及び図６）。
【００５５】
第１挟持体２４は、第１回路側接続体３２の接点部３２ｂとの間で第１電線側接続体３１を挟持することによって、その接点部３２ｂとの間で第１電線ＷＥ１の中間接続部ＷＥａ１を間接的に挟持する。この第１挟持体２４は、第２筐体部材２２の主壁体２２ａの内壁面２２ａ1から自由端側を浮き上がらせた片持ちの片体状の片部２４ａと、この片部２４ａの自由端に設け、第１電線側接続体３１に接触させて加圧する加圧部２４ｂと、を有する（図３、図５及び図６）。その片部２４ａは、弾性を有するものであってもよく、弾性を有しないものであってもよい。また、加圧部２４ｂは、電線挟持方向で接点部３２ｂに対向配置させる。ここでは、加圧部２４ｂと接点部３２ｂとを各々矩形の片体状に形成し、それぞれの平面の間で第１電線側接続体３１を挟持させる。
【００５６】
第２挟持体２５は、第２回路側接続体４２の接点部４２ｂとの間で第２電線側接続体４１を挟持することによって、その接点部４２ｂとの間で第２電線ＷＥ２の中間接続部ＷＥａ２を間接的に挟持する。この第２挟持体２５は、第２筐体部材２２の主壁体２２ａの内壁面２２ａ1から自由端側を浮き上がらせた片持ちの片体状の片部２５ａと、この片部２５ａの自由端に設け、第２電線側接続体４１に接触させて加圧する加圧部２５ｂと、を有する（図３、図５及び図６）。その片部２５ａは、弾性を有するものであってもよく、弾性を有しないものであってもよい。また、加圧部２５ｂは、電線挟持方向で接点部４２ｂに対向配置させる。ここでは、加圧部２５ｂと接点部４２ｂとを各々矩形の片体状に形成し、それぞれの平面の間で第２電線側接続体４１を挟持させる。
【００５７】
このノイズフィルタ１Ａにおいて、第１筐体部材２１の内方の空間には、第１電線側接続体３１が接点部３２ｂに載せ置かれた状態で第１電線ＷＥ１を配置すると共に、第２電線側接続体４１が接点部４２ｂに載せ置かれた状態で第２電線ＷＥ２を配置する（図６）。このノイズフィルタ１Ａにおいては、その第１筐体部材２１に対して第２筐体部材２２を嵌め合わせていく（図６）。
【００５８】
第１筐体部材２１と第２筐体部材２２とを嵌め合わせた際には、第１電線側接続体３１に対して加圧部２４ｂから接点部３２ｂに向けた押圧力が作用し、この第１電線側接続体３１が接点部３２ｂを押し動かすので、その押動力に抗する弾性片部３２ａの弾発力が接点部３２ｂから第１電線側接続体３１に作用する。また、第１筐体部材２１と第２筐体部材２２とを嵌め合わせた際には、第２電線側接続体４１に対して加圧部２５ｂから接点部４２ｂに向けた押圧力が作用し、この第２電線側接続体４１が接点部４２ｂを押し動かすので、その押動力に抗する弾性片部４２ａの弾発力が接点部４２ｂから第２電線側接続体４１に作用する。よって、このノイズフィルタ１Ａにおいては、第１筐体部材２１と第２筐体部材２２とを嵌め合わせた際に、第１電線側接続体３１が加圧部２４ｂと接点部３２ｂとで挟持されて、その第１電線側接続体３１と接点部３２ｂとが物理的且つ電気的に接続され、かつ、第２電線側接続体４１が加圧部２５ｂと接点部４２ｂとで挟持されて、その第２電線側接続体４１と接点部４２ｂとが物理的且つ電気的に接続される。従って、このノイズフィルタ１Ａにおいては、第１電線ＷＥ１の中間接続部ＷＥａ１とフィルタ回路１０の第１回路接続部材１２とが第１電線側接続体３１を介して間接的に電気接続され、かつ、第２電線ＷＥ２の中間接続部ＷＥａ２とフィルタ回路１０の第２回路接続部材１３とが第２電線側接続体４１を介して間接的に電気接続される。
【００５９】
ところで、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、このノイズフィルタ１Ａにおいては、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を介在させ、そのフィルタ回路１０をそれぞれの中間接続部ＷＥａ１，ＷＥａ２に対して電気的に接続している。よって、このノイズフィルタ１Ａは、従来のような幹線からの分岐電線（中間電線）の影響を考慮に入れたフィルタ回路特性の調整が不要になる。つまり、このノイズフィルタ１Ａは、中間電線の影響を受けることのないものとなっている。
【００６０】
図７には、周波数を横軸とし、ノイズ低減レベルを縦軸としたフィルタ回路特性の概念図を示している。本図では、破線でノイズ低減の要求性能を表し、実線で本実施形態のノイズフィルタ１Ａのフィルタ回路特性を表し、二点鎖線で従来のノイズフィルタのフィルタ回路特性を表している。
【００６１】
尚、ノイズフィルタ１Ａは、例えば、幹線ＷＴと一緒に粘着テープ等で巻き付けて、この幹線ＷＴに抱きかかえさせればよい。
【００６２】
更に、このノイズフィルタ１Ａは、一方の端部を接地させる第２電線ＷＥ２の中間接続部ＷＥａ２に対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１Ａは、そのようなアース端子を備えずとも、アースを取ることができる。従って、このノイズフィルタ１Ａは、体格の小型化や軽量化を図ることができる。
【００６３】
また更に、このノイズフィルタ１Ａは、第１電線ＷＥ１の中間接続部ＷＥａ１と第１回路側接続体３２との間の電気的な接続構造及び第２電線ＷＥ２の中間接続部ＷＥａ２と第２回路側接続体４２との間の電気的な接続構造が、第１回路側接続体３２と第２回路側接続体４２のそれぞれの弾発力を利用するものとなっている。よって、このノイズフィルタ１Ａは、その接続構造が従来のような雌雄の端子部の嵌合構造となっているものと比較して、それぞれの接続構造の小型化が可能になる。従って、このノイズフィルタ１Ａは、体格の小型化を図ることができる。また、そのような従来の接続構造は形状如何で原価の高騰を招く虞があるが、このノイズフィルタ１Ａは、弾発力を利用する接続構造であるが故に、その構造の簡素化を図ることができ、原価の高騰を抑えることができる。
【００６４】
また更に、このノイズフィルタ１Ａは、そのような弾発力による接続構造を採用することによって、それぞれの構成部品の寸法ばらつきを吸収し、それぞれの中間接続部ＷＥａ１，ＷＥａ２に安定した接触荷重を作用させることができる。また、このノイズフィルタ１Ａは、第１挟持体２４の片部２４ａと第２挟持体２５の片部２５ａとに弾性を持たせることによって、第１回路側接続体３２と第２回路側接続体４２の弾性と相俟って、それぞれの構成部品の寸法ばらつきがより大きくなったとしても、その寸法ばらつきを吸収し、それぞれの中間接続部ＷＥａ２に安定した接触荷重を作用させることができる。このような特性によって、このノイズフィルタ１Ａは、第１電線ＷＥ１及び第２電線ＷＥ２とフィルタ回路１０との間の通電品質の向上を図ることができる。
【００６５】
また更に、このノイズフィルタ１Ａは、弾発力による接続構造を採用することによって、第１回路側接続体３２と第２回路側接続体４２の弾性域の範囲内で、様々な外径の電線（第１電線ＷＥ１、第２電線ＷＥ２）に対して電気的な接続を図ることができる。また、このノイズフィルタ１Ａは、第１挟持体２４の片部２４ａと第２挟持体２５の片部２５ａとに弾性を持たせた場合、これらも含めた弾性域の範囲内で、様々な外径の電線（第１電線ＷＥ１、第２電線ＷＥ２）に対して電気的な接続を図ることができる。つまり、このノイズフィルタ１Ａは、様々な外径の電線（第１電線ＷＥ１、第２電線ＷＥ２）への対応が可能になり、汎用性を高めることができる。
【００６６】
［ノイズフィルタ１Ｂ］
ここで、本実施形態のノイズフィルタ１は、先の第１挟持体２４と第２挟持体２５とを有する第２筐体部材２２に替えて、次のような第１挟持体１２４と第２挟持体１２５とを第２筐体部材１２２に設けたノイズフィルタ１Ｂとして構成してもよい（図８及び図９）。このノイズフィルタ１Ｂは、先のノイズフィルタ１Ａと同様の効果が得られると共に、その第１挟持体１２４と第２挟持体１２５とによって、後述する効果を得ることができる。
【００６７】
第２筐体部材１２２は、先に示した第２筐体部材２２において、第１挟持体２４を第１挟持体１２４に置き換え、かつ、第２挟持体２５を第２挟持体１２５に置き換えたものである。この第２筐体部材１２２は、先に示した第１筐体部材２１に嵌合させることによって、内方に収容室１２０ａが形成された筐体１２０を構成する（図９）。この第２筐体部材１２２の主壁体１２２ａの内壁面１２２ａ1には、第１挟持体１２４と第２挟持体１２５とを２つずつ設ける（図８及び図９）。
【００６８】
第１挟持体１２４は、先に示した第１挟持体２４と同様の片部１２４ａ及び加圧部１２４ｂの他に、その加圧部１２４ｂから膨出させた係止突起部１２４ｃを有する（図８から図１０）。また、第２挟持体１２５は、先に示した第２挟持体２５と同様の片部１２５ａ及び加圧部１２５ｂの他に、その加圧部１２５ｂから膨出させた係止突起部１２５ｃを有する（図８から図１０）。
【００６９】
このノイズフィルタ１Ｂにおいては、２つの第１挟持体１２４のそれぞれの加圧部１２４ｂと接点部３２ｂとで第１電線側接続体３１を挟持させ、かつ、２つの第２挟持体１２５のそれぞれの加圧部１２５ｂと接点部４２ｂとで第２電線側接続体４１を挟持させる（図８及び図９）。その際、接点部３２ｂは、一方の第１挟持体１２４の加圧部１２４ｂに対してのみ電線挟持方向で対向配置させてもよく、双方の第１挟持体１２４のそれぞれの加圧部１２４ｂに対して電線挟持方向で対向配置させてもよい。これと同様に、接点部４２ｂは、一方の第２挟持体１２５の加圧部１２５ｂに対してのみ電線挟持方向で対向配置させてもよく、双方の第２挟持体１２５のそれぞれの加圧部１２５ｂに対して電線挟持方向で対向配置させてもよい。
【００７０】
また、一方の第１挟持体１２４の係止突起部１２４ｃは、第１電線側接続体３１における筒軸方向の一端を当該筒軸方向で係止するものとして形成する（図９）。そして、他方の第１挟持体１２４の係止突起部１２４ｃは、第１電線側接続体３１における筒軸方向の他端を当該筒軸方向で係止するものとして形成する（図９）。つまり、このノイズフィルタ１Ｂにおいては、その２つの係止突起部１２４ｃを用いて、筒軸方向の両端から第１電線側接続体３１を挟持させる。更に、一方の第２挟持体１２５の係止突起部１２５ｃは、第２電線側接続体４１における筒軸方向の一端を当該筒軸方向で係止するものとして形成する（図９）。そして、他方の第２挟持体１２５の係止突起部１２５ｃは、第２電線側接続体４１における筒軸方向の他端を当該筒軸方向で係止するものとして形成する（図９）。つまり、このノイズフィルタ１Ｂにおいては、その２つの係止突起部１２５ｃを用いて、筒軸方向の両端から第２電線側接続体４１を挟持させる。これにより、このノイズフィルタ１Ｂにおいては、その２つの係止突起部１２４ｃと２つの係止突起部１２５ｃとによって、筐体１２０の収容室１２０ａの中での第１電線側接続体３１及び第１電線ＷＥ１並びに第２電線側接続体４１及び第２電線ＷＥ２の位置決めを行うことができる。従って、このノイズフィルタ１Ｂは、第１電線ＷＥ１及び第２電線ＷＥ２とフィルタ回路１０との間の通電品質を更に向上させることができる。
【００７１】
［ノイズフィルタ１Ｃ］
また、本実施形態のノイズフィルタ１は、先の第１挟持体２４と第２挟持体２５とを有する第２筐体部材２２に替えて、次のような第１挟持体２２４と第２挟持体２２５とを第２筐体部材２２２に設けたノイズフィルタ１Ｃとして構成してもよい（図１１及び図１２）。このノイズフィルタ１Ｃは、先のノイズフィルタ１Ａと同様の効果が得られると共に、その第１挟持体２２４と第２挟持体２２５とによって、後述する効果を得ることができる。
【００７２】
第２筐体部材２２２は、先に示した第２筐体部材２２において、第１挟持体２４を第１挟持体２２４に置き換え、かつ、第２挟持体２５を第２挟持体２２５に置き換えたものである。この第２筐体部材２２２は、先に示した第１筐体部材２１に嵌合させることによって、内方に収容室２２０ａが形成された筐体２２０を構成する（図１２）。この第２筐体部材２２２の主壁体２２２ａの内壁面２２２ａ1には、第１挟持体２２４と第２挟持体２２５とを２つずつ設ける（図１１及び図１２）。
【００７３】
第１挟持体２２４は、主壁体２２２ａの内壁面２２２ａ1から膨出させ、第１電線側接続体３１に接触させて加圧する加圧部２２４ｂと、その内壁面２２２ａ1から膨出させた係止突起部２２４ｃと、を有する（図１１及び図１２）。また、第２挟持体２２５は、主壁体２２２ａの内壁面２２２ａ1から膨出させ、第２電線側接続体４１に接触させて加圧する加圧部２２５ｂと、その内壁面２２２ａ1から膨出させた係止突起部２２５ｃと、を有する（図１１及び図１２）。
【００７４】
このノイズフィルタ１Ｃにおいては、２つの第１挟持体２２４のそれぞれの加圧部２２４ｂと接点部３２ｂとで第１電線側接続体３１を挟持させ、かつ、２つの第２挟持体２２５のそれぞれの加圧部２２５ｂと接点部４２ｂとで第２電線側接続体４１を挟持させる。その際、接点部３２ｂは、一方の第１挟持体２２４の加圧部２２４ｂに対してのみ電線挟持方向で対向配置させてもよく、双方の第１挟持体２２４のそれぞれの加圧部２２４ｂに対して電線挟持方向で対向配置させてもよい。これと同様に、接点部４２ｂは、一方の第２挟持体２２５の加圧部２２５ｂに対してのみ電線挟持方向で対向配置させてもよく、双方の第２挟持体２２５のそれぞれの加圧部２２５ｂに対して電線挟持方向で対向配置させてもよい。
【００７５】
また、一方の第１挟持体２２４の係止突起部２２４ｃは、第１電線側接続体３１における筒軸方向の一端を当該筒軸方向で係止するものとして形成する（図１２）。そして、他方の第１挟持体２２４の係止突起部２２４ｃは、第１電線側接続体３１における筒軸方向の他端を当該筒軸方向で係止するものとして形成する（図１２）。つまり、このノイズフィルタ１Ｃにおいては、その２つの係止突起部２２４ｃを用いて、筒軸方向の両端から第１電線側接続体３１を挟持させる。更に、一方の第２挟持体２２５の係止突起部２２５ｃは、第２電線側接続体４１における筒軸方向の一端を当該筒軸方向で係止するものとして形成する（図１２）。そして、他方の第２挟持体２２５の係止突起部２２５ｃは、第２電線側接続体４１における筒軸方向の他端を当該筒軸方向で係止するものとして形成する（図１２）。つまり、このノイズフィルタ１Ｃにおいては、その２つの係止突起部２２５ｃを用いて、筒軸方向の両端から第２電線側接続体４１を挟持させる。これにより、このノイズフィルタ１Ｃにおいては、その２つの係止突起部２２４ｃと２つの係止突起部２２５ｃとによって、筐体２２０の収容室２２０ａの中での第１電線側接続体３１及び第１電線ＷＥ１並びに第２電線側接続体４１及び第２電線ＷＥ２の位置決めを行うことができる。従って、このノイズフィルタ１Ｃは、第１電線ＷＥ１及び第２電線ＷＥ２とフィルタ回路１０との間の通電品質を更に向上させることができる。
【００７６】
［ノイズフィルタ１Ｄ］
本実施形態のノイズフィルタ１は、先の第１回路側接続体３２（１２ｂ）を有する第１電気接続構造３０と第２回路側接続体４２（１３ｂ）を有する第２電気接続構造４０とに替えて、次のような第１回路側接続体３３２を有する第１電気接続構造３３０と第２回路側接続体３４２を有する第２電気接続構造３４０とを設けたノイズフィルタ１Ｄとして構成してもよい（図１３及び図１４）。このノイズフィルタ１Ｄは、先のノイズフィルタ１Ａと同様の効果が得られると共に、その第１回路側接続体３３２と第２回路側接続体３４２とによって、後述する効果を得ることができる。
【００７７】
第１回路側接続体３３２は、先の例示と同じように、主体３１２ａと第１回路側接続体３１２ｂとを有する第１回路接続部材３１２に設けており、その第１回路側接続体３１２ｂを利用する（図１３及び図１４）。この第１回路側接続体３３２は、先の第１回路側接続体３２（１２ｂ）と同様の弾性片部３３２ａを有すると共に、この弾性片部３３２ａの自由端に設け、第１電線側接続体３１に対して直接的に電気接続させる接点部３３２ｂを有する（図１３から図１５）。この例示の接点部３３２ｂは、第１電線側接続体３１の外周面に接触させる先の接点部３２ｂと同様の矩形の片部３３２ｂ1と、この片部３３２ｂ1から突出させ、第１電線側接続体３１における筒軸方向の両端を当該筒軸方向で挟み込む２つの係止突起部３３２ｂ2と、を有する（図１３から図１５）。この例示の係止突起部３３２ｂ2には、第１電線ＷＥ１の中間接続部ＷＥａ１が挿入される弧状の切欠き３３２ｂ21を設けている（図１５）。この第１回路側接続体３３２は、先の第１電線側接続体３１と対になって第１電気接続構造３３０を構成する。
【００７８】
第２回路側接続体３４２は、先の例示と同じように、主体３１３ａと第２回路側接続体３１３ｂとを有する第２回路接続部材３１３に設けており、その第２回路側接続体３１３ｂを利用する（図１３及び図１４）。この第２回路側接続体３４２は、先の第２回路側接続体４２（１３ｂ）と同様の弾性片部３４２ａを有すると共に、この弾性片部３４２ａの自由端に設け、第２電線側接続体４１に対して直接的に電気接続させる接点部３４２ｂを有する（図１３から図１５）。この例示の接点部３４２ｂは、第２電線側接続体４１の外周面に接触させる先の接点部４２ｂと同様の矩形の片部３４２ｂ1と、この片部３４２ｂ1から突出させ、第２電線側接続体４１における筒軸方向の両端を当該筒軸方向で挟み込む２つの係止突起部３４２ｂ2と、を有する（図１３から図１５）。この例示の係止突起部３４２ｂ2には、第２電線ＷＥ２の中間接続部ＷＥａ２が挿入される弧状の切欠き３４２ｂ21を設けている（図１５）。この第２回路側接続体３４２は、先の第２電線側接続体４１と対になって第２電気接続構造３４０を構成する。
【００７９】
このノイズフィルタ１Ｄは、２つの係止突起部３３２ｂ2と２つの係止突起部３４２ｂ2とによって、筐体２０の収容室２０ａの中での第１電線側接続体３１及び第１電線ＷＥ１並びに第２電線側接続体４１及び第２電線ＷＥ２の位置決めを行うことができる。従って、このノイズフィルタ１Ｄは、第１電線ＷＥ１及び第２電線ＷＥ２とフィルタ回路１０との間の通電品質を更に向上させることができる。
【００８０】
［ノイズフィルタ１Ａの変形形態］
ところで、先に示したノイズフィルタ１Ａにおいては、図示しないが、それぞれの接点部３２ｂ，４２ｂを端子部として形成すると共に、第１電線側接続体３１と第２電線側接続体４１とに各々端子部（図示略）を設けてもよい。それぞれの端子部は、雌雄何れかの端子形状を成すものであり、例えば、前述した特許文献２に示す端子形状を用いればよい。この場合のノイズフィルタ１Ａにおいては、端子部としての接点部３２ｂと第１電線側接続体３１の端子部とを嵌合させ、かつ、端子部としての接点部４２ｂと第２電線側接続体４１の端子部とを嵌合させることによって、その相互間の電気的な接続を確保すると共に、筐体２０の収容室２０ａの中での第１電線側接続体３１及び第１電線ＷＥ１並びに第２電線側接続体４１及び第２電線ＷＥ２の位置決めを行うことができる。従って、このノイズフィルタ１Ａは、第１電線ＷＥ１及び第２電線ＷＥ２とフィルタ回路１０との間の通電品質を更に向上させることができる。
【００８１】
［ノイズフィルタ１Ｅ］
本実施形態のノイズフィルタ１は、先の第１電気接続構造３０と第２電気接続構造４０とに替えて、次のような第１電気接続構造４３０と第２電気接続構造４４０とを設けたノイズフィルタ１Ｅとして構成してもよい（図１６）。このノイズフィルタ１Ｅは、先のノイズフィルタ１Ａと同様の効果が得られると共に、その第１電気接続構造４３０と第２電気接続構造４４０とによって、後述する効果を得ることができる。
【００８２】
第１電気接続構造４３０は、先の第１電線側接続体３１を持たずに、先の第１回路側接続体３２を備えたものである。この第１電気接続構造４３０は、第２筐体部材２２の第１挟持体２４と相俟って、その加圧部２４ｂと第１回路側接続体３２の接点部３２ｂとで第１電線ＷＥ１の中間接続部ＷＥａ１を挟持させる。
【００８３】
つまり、この例示の第１回路側接続体３２は、第１電線ＷＥ１の中間接続部ＷＥａ１に対して直接的に電気接続させるものとして形成する。この第１回路側接続体３２は、第１電線ＷＥ１の中間接続部ＷＥａ１に対して直接的に作用させた弾発力によって、その中間接続部ＷＥａ１に対して直接的に電気接続させる。また、この例示の第１挟持体２４は、第１回路側接続体３２の接点部３２ｂとの間で第１電線ＷＥ１の中間接続部ＷＥａ１を直接的に挟持するものとして形成する。
【００８４】
また、第２電気接続構造４４０は、先の第２電線側接続体４１を持たずに、先の第２回路側接続体４２を備えたものである。この第２電気接続構造４４０は、第２筐体部材２２の第２挟持体２５と相俟って、その加圧部２５ｂと第２回路側接続体４２の接点部４２ｂとで第２電線ＷＥ２の中間接続部ＷＥａ２を挟持させる。
【００８５】
つまり、この例示の第２回路側接続体４２は、第２電線ＷＥ２の中間接続部ＷＥａ２に対して直接的に電気接続させるものとして形成する。この第２回路側接続体４２は、第２電線ＷＥ２の中間接続部ＷＥａ２に対して直接的に作用させた弾発力によって、その中間接続部ＷＥａ２に対して直接的に電気接続させる。また、この例示の第２挟持体２５は、第２回路側接続体４２の接点部４２ｂとの間で第２電線ＷＥ２の中間接続部ＷＥａ２を直接的に挟持するものとして形成する。
【００８６】
ここで、このノイズフィルタ１Ｅは、丸導体等の単線を芯線ＷＥａとする第１電線ＷＥ１と第２電線ＷＥ２を適用する場合に用いることが望ましい。何故ならば、それぞれの中間接続部ＷＥａ１，ＷＥａ２においては、芯線ＷＥａが複数本の素線を束ねた集合体である場合、加圧部２４ｂ，２５ｂと接点部３２ｂ，４２ｂとで挟持するときに各素線がばらけてしまう可能性があるので、加圧部２４ｂ、２５ｂからの押動力と接点部３２ｂ，４２ｂからの弾発力を受け止めることができなくなる可能性がある。つまり、芯線ＷＥａが複数本の素線の集合体の場合には、それぞれの中間接続部ＷＥａ１，ＷＥａ２に適切な接触荷重を作用させることができず、それぞれの中間接続部ＷＥａ１，ＷＥａ２とフィルタ回路１０との間での通電が上手く為されない可能性があるからである。但し、第１電線ＷＥ１と第２電線ＷＥ２は、芯線ＷＥａが複数本の素線の集合体であったとしても、中間接続部ＷＥａ１，ＷＥａ２における複数本の素線を熱圧着等で溶着して一纏めに固着させることによって（図１６）、先の第１電線側接続体３１や第２電線側接続体４１を備えずとも、このノイズフィルタ１Ｅに適用することができる。
【００８７】
このように、このノイズフィルタ１Ｅは、第１電気接続構造４３０と第２電気接続構造４４０とにおいて部品点数が削減されるので、軽量化や組付け作業性の向上、原価の低減を図ることができる。
【００８８】
［ノイズフィルタ１Ｆ］
本実施形態のノイズフィルタ１は、先の第１挟持体２４及び第２挟持体２５を有する第２筐体部材２２、第１電気接続構造３０並びに第２電気接続構造４０に替えて、次のような第１挟持体５２４及び第２挟持体５２５を有する第２筐体部材５２２、第１電気接続構造５３０並びに第２電気接続構造５４０を設けたノイズフィルタ１Ｆとして構成してもよい（図１７及び図１８）。このノイズフィルタ１Ｆは、先のノイズフィルタ１Ａと同様の効果が得られると共に、その第１挟持体５２４及び第２挟持体５２５並びに第１電気接続構造４３０及び第２電気接続構造４４０によって、後述する効果を得ることができる。
【００８９】
第２筐体部材５２２は、先に示した第２筐体部材２２において、第１挟持体２４を第１挟持体５２４に置き換え、かつ、第２挟持体２５を第２挟持体５２５に置き換えたものである。この第２筐体部材５２２は、先に示した第１筐体部材２１に嵌合させることによって、内方に収容室５２０ａが形成された筐体５２０を構成する（図１８）。この第２筐体部材５２２の主壁体５２２ａの内壁面５２２ａ1には、第１挟持体５２４と第２挟持体５２５とを少なくとも１つずつ設ける（図１７及び図１８）。ここでは、第１挟持体５２４と第２挟持体５２５とを１つずつ設けている。
【００９０】
第１挟持体５２４は、先に示した第１挟持体２４と同様の片部５２４ａを有すると共に、この片部５２４ａの自由端に設け、第１電線ＷＥ１の中間接続部ＷＥａ１に接触させて加圧する加圧部５２４ｂを有する（図１７及び図１８）。その加圧部５２４ｂは、Ｕ字状に形成する。この加圧部５２４ｂは、第１電線ＷＥ１の中間接続部ＷＥａ１側に口を開けており、その開口から中間接続部ＷＥａ１を内方に挿入させる。また、第２挟持体５２５は、先に示した第２挟持体２５と同様の片部５２５ａを有すると共に、この片部５２５ａの自由端に設け、第２電線ＷＥ２の中間接続部ＷＥａ２に接触させて加圧する加圧部５２５ｂを有する（図１７及び図１８）。その加圧部５２５ｂは、Ｕ字状に形成する（図１９）。この加圧部５２５ｂは、第２電線ＷＥ２の中間接続部ＷＥａ２側に口を開けており、その開口から中間接続部ＷＥａ２を内方に挿入させる。
【００９１】
第１電気接続構造５３０は、先の第１電線側接続体３１を持たずに、第１回路側接続体５３２を備えたものである（図１７及び図１８）。その第１回路側接続体５３２は、先の例示と同じように、主体５１２ａと第１回路側接続体５１２ｂとを有する第１回路接続部材５１２に設けており、その第１回路側接続体５１２ｂを利用する（図１７及び図１８）。この第１回路側接続体５３２は、先の第１回路側接続体３２（１２ｂ）と同様の弾性片部５３２ａを有すると共に、この弾性片部５３２ａの自由端に設け、第１電線ＷＥ１の中間接続部ＷＥａ１に対して直接的に電気接続させる接点部５３２ｂを有する（図１７及び図１８）。この例示の接点部５３２ｂは、Ｕ字状に形成する（図１９）。この接点部５３２ｂは、第１電線ＷＥ１の中間接続部ＷＥａ１側に口を開けており、その開口から中間接続部ＷＥａ１を内方に挿入させる。
【００９２】
また、第２電気接続構造５４０は、先の第２電線側接続体４１を持たずに、第２回路側接続体５４２を備えたものである（図１７及び図１８）。その第２回路側接続体５４２は、先の例示と同じように、主体５１３ａと第２回路側接続体５１３ｂとを有する第２回路接続部材５１３に設けており、その第２回路側接続体５１３ｂを利用する（図１７及び図１８）。この第２回路側接続体５４２は、先の第２回路側接続体４２（１３ｂ）と同様の弾性片部５４２ａを有すると共に、この弾性片部５４２ａの自由端に設け、第２電線ＷＥ２の中間接続部ＷＥａ２に対して直接的に電気接続させる接点部５４２ｂを有する（図１７及び図１８）。この例示の接点部５４２ｂは、Ｕ字状に形成する（図１９）。この接点部５４２ｂは、第２電線ＷＥ２の中間接続部ＷＥａ２側に口を開けており、その開口から中間接続部ＷＥａ２を内方に挿入させる。
【００９３】
つまり、この例示の第１回路側接続体５３２は、第１電線ＷＥ１の中間接続部ＷＥａ１に対して直接的に電気接続させるものとして形成されている。この第１回路側接続体５３２は、第１電線ＷＥ１の中間接続部ＷＥａ１に対して直接的に作用させた弾発力によって、その中間接続部ＷＥａ１に対して直接的に電気接続させる。また、この例示の第１挟持体５２４は、第１回路側接続体５３２の接点部５３２ｂとの間で第１電線ＷＥ１の中間接続部ＷＥａ１を直接的に挟持するものとして形成されている。また、この例示の第２回路側接続体４２は、第２電線ＷＥ２の中間接続部ＷＥａ２に対して直接的に電気接続させるものとして形成されている。この第２回路側接続体４２は、第２電線ＷＥ２の中間接続部ＷＥａ２に対して直接的に作用させた弾発力によって、その中間接続部ＷＥａ２に対して直接的に電気接続させる。また、この例示の第２挟持体２５は、第２回路側接続体４２の接点部４２ｂとの間で第２電線ＷＥ２の中間接続部ＷＥａ２を直接的に挟持するものとして形成されている。
【００９４】
加圧部５２４ｂと接点部５３２ｂは、第１筐体部材２１と第２筐体部材２２とを嵌め合わせた際に、それぞれのＵ字の内方に第１電線ＷＥ１の中間接続部ＷＥａ１を各々の開口から挿入させ（図２０）、かつ、その中間接続部ＷＥａ１の軸線方向で互いに対向配置させる（図１８）。加圧部５２４ｂと接点部５３２ｂは、その軸線方向にて近接配置する。これにより、この加圧部５２４ｂと接点部５３２ｂは、それぞれのＵ字の底部によって、その中間接続部ＷＥａ１を電線挟持方向で挟み込み、この中間接続部ＷＥａ１に対して安定した接触荷重を作用させることができる。また、この加圧部５２４ｂと接点部５３２ｂは、それぞれのＵ字の内方で第１電線ＷＥ１の中間接続部ＷＥａ１を囲うことができる（図２０）。よって、このノイズフィルタ１Ｆにおいては、芯線ＷＥａが単線の第１電線ＷＥ１であっても適用することができ、また、素線のばらけを抑制できるので、芯線ＷＥａが複数本の素線の集合体となっている第１電線ＷＥ１であっても適用することができる。また、その第１電線ＷＥ１は、先に示した中間接続部ＷＥａ１における複数本の素線を熱圧着等で溶着して固めたものであってもよい。
【００９５】
また、加圧部５２５ｂと接点部５４２ｂは、第１筐体部材２１と第２筐体部材２２とを嵌め合わせた際に、それぞれのＵ字の内方に第２電線ＷＥ２の中間接続部ＷＥａ２を各々の開口から挿入させ（図２０）、かつ、その中間接続部ＷＥａ２の軸線方向で互いに対向配置させる（図１８）。加圧部５２５ｂと接点部５４２ｂは、その軸線方向にて近接配置する。これにより、この加圧部５２５ｂと接点部５４２ｂは、それぞれのＵ字の底部によって、その中間接続部ＷＥａ２を電線挟持方向で挟み込み、この中間接続部ＷＥａ２に対して安定した接触荷重を作用させることができる。また、この加圧部５２５ｂと接点部５４２ｂは、それぞれのＵ字の内方で第２電線ＷＥ２の中間接続部ＷＥａ２を囲うことができる（図２０）。よって、このノイズフィルタ１Ｆにおいては、芯線ＷＥａが単線の第２電線ＷＥ２であっても適用することができ、また、素線のばらけを抑制できるので、芯線ＷＥａが複数本の素線の集合体となっている第２電線ＷＥ２であっても適用することができる。また、その第２電線ＷＥ２は、先に示した中間接続部ＷＥａ２における複数本の素線を熱圧着等で溶着して固めたものであってもよい。
【００９６】
このように、このノイズフィルタ１Ｆは、第１電気接続構造５３０と第２電気接続構造５４０とにおいて部品点数が削減されるので、軽量化や組付け作業性の向上、原価の低減を図ることができる。
【００９７】
［ノイズフィルタ１Ａの変形形態］
ところで、先に示したノイズフィルタ１Ａにおいては、図示しないが、互いに間隔を空けて対向配置された圧接刃を有するものとして、それぞれの接点部３２ｂ，４２ｂを形成してもよい。接点部３２ｂの圧接刃は、間に差し込んだ第１電線ＷＥ１の被覆ＷＥｂに切込みを入れて、第１電線ＷＥ１の芯線ＷＥａに食い込ませる。よって、この接点部３２ｂは、それぞれの圧接刃によって、第１電線ＷＥ１を電気接続状態で圧接固定することができる。また、接点部４２ｂの圧接刃は、間に差し込んだ第２電線ＷＥ２の被覆ＷＥｂに切込みを入れて、第２電線ＷＥ２の芯線ＷＥａに食い込ませる。よって、この接点部４２ｂは、それぞれの圧接刃によって、第２電線ＷＥ２を電気接続状態で圧接固定することができる。
【００９８】
この場合、第１及び第２の回路側接続体３２，４２の片部３２ａ，４２ａは、弾性を有するものであってもよく、弾性を有しないものであってもよい。また、この場合、第２筐体部材２２は、第１挟持体２４や第２挟持体２５を有していてもよく、第１挟持体２４や第２挟持体２５を有していなくてもよい。但し、このノイズフィルタ１Ａにおいては、第１挟持体２４や第２挟持体２５を有していることによって、圧接固定状態が保たれ易くなる。
【００９９】
以上示したように、本実施形態のノイズフィルタ１（１Ａ，１Ｂ，１Ｃ，１Ｄ，１Ｅ，１Ｆ）は、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を介在させ、そのフィルタ回路１０をそれぞれの中間接続部ＷＥａ１，ＷＥａ２に対して電気的に接続させる。よって、本実施形態のノイズフィルタ１（１Ａ，１Ｂ，１Ｃ，１Ｄ，１Ｅ，１Ｆ）は、従来のような中間電線のノイズ成分をも考慮に入れたフィルタ回路特性の調整が不要な簡便なものとなっている。更に、本実施形態のノイズフィルタ１（１Ａ，１Ｂ，１Ｃ，１Ｄ，１Ｅ，１Ｆ）は、アース端子が不要なので、体格の小型化や軽量化を図ることができる。また更に、本実施形態のノイズフィルタ１（１Ａ，１Ｂ，１Ｃ，１Ｄ，１Ｅ，１Ｆ）は、第１電線ＷＥ１及び第２電線ＷＥ２とフィルタ回路１０との間の電気的な接続に弾性を利用しているので、体格の小型化や原価高騰の抑制を図ることができ、かつ、様々な外径の電線（第１電線ＷＥ１、第２電線ＷＥ２）への対応が可能な汎用性の高いものとなる。また更に、本実施形態のノイズフィルタ１（１Ａ，１Ｂ，１Ｃ，１Ｄ，１Ｅ，１Ｆ）は、そのような弾性を利用した接続構造によって、それぞれの構成部品の寸法ばらつきを吸収し、第１電線ＷＥ１の中間接続部ＷＥａ１と第２電線ＷＥ２の中間接続部ＷＥａ２とに安定した接触荷重を作用させて、通電品質の向上を図ることができる。また、本実施形態のワイヤハーネスＷＨは、そのようなノイズフィルタ１（１Ａ，１Ｂ，１Ｃ，１Ｄ，１Ｅ，１Ｆ）を具備するものであり、このノイズフィルタ１（１Ａ，１Ｂ，１Ｃ，１Ｄ，１Ｅ，１Ｆ）が得られる効果を奏することができる。
【０１００】
［変形例１］
図２１及び図２２の符号２は、本変形例のノイズフィルタを示す。このノイズフィルタ２は、電気的に接続されたフィルタ回路を複数設け、それぞれのフィルタ回路の内の１つに対して、第１電線ＷＥ１の中間接続部ＷＥａ１と第２電線ＷＥ２の中間接続部ＷＥａ２とを電気的に接続させるノイズ低減装置である。それぞれのフィルタ回路は、全てが同じフィルタ回路特性のものであってもよく、複数種類のフィルタ回路特性のものを組み合わせたものであってもよい。
【０１０１】
［ノイズフィルタ２Ａ］
以下においては、このノイズフィルタ２の一例としてのノイズフィルタ２Ａを説明する（図２１及び図２２）。
【０１０２】
ノイズフィルタ２Ａは、ノイズ成分を低減させるフィルタ回路６１０を複数備え（図２１及び図２２）、それぞれのフィルタ回路６１０を電気的に接続すると共に、その内の１つのフィルタ回路６１０に対して、第１電線ＷＥ１の中間接続部ＷＥａ１と第２電線ＷＥ２の中間接続部ＷＥａ２とを電気的に接続させる。その複数のフィルタ回路６１０については、それぞれの中間接続部ＷＥａ１，ＷＥａ２に対して電気的に接続させる１つの主フィルタ回路６１０Ａと、これ以外の残りの副フィルタ回路６１０Ｂと、に大別する（図２１及び図２２）。主フィルタ回路６１０Ａには、少なくとも１つの副フィルタ回路６１０Ｂを連結させる。
【０１０３】
フィルタ回路６１０は、ノイズ成分を低減させる少なくとも１つのノイズ低減素子１１と、このノイズ低減素子１１の第１素子接続部が電気的に接続された導電性の第１回路接続部材６１２と、ノイズ低減素子１１の第２素子接続部が電気的に接続された導電性の第２回路接続部材６１３と、を備える（図２１及び図２２）。
【０１０４】
この例示のフィルタ回路６１０は、ノイズ低減素子１１として２つのコンデンサを備えており、この２つのコンデンサでノイズの低減を図ることができるように構成する。図示しないが、その２つのノイズ低減素子１１は、絶縁性のモールド体で覆われている。尚、そのモールド体は、２つ以上のフィルタ回路６１０のそれぞれのノイズ低減素子１１を一纏めに覆うように成形されたものであってもよい。
【０１０５】
第１回路接続部材６１２と第２回路接続部材６１３は、先の第１回路接続部材１２や第２回路接続部材１３と同様の導電部材であり、各々、金属等の導電性材料で板状のバスバとして成形されている。この例示では、第１回路接続部材６１２と第２回路接続部材６１３とが、各々、平板状に成形されている。このフィルタ回路６１０においては、第１回路接続部材６１２と第２回路接続部材６１３とを同一の平面上に並べて配置している。そして、このフィルタ回路６１０においては、第１回路接続部材６１２にノイズ低減素子１１の第１素子接続部を物理的且つ電気的に接続し、かつ、第２回路接続部材６１３にノイズ低減素子１１の第２素子接続部を物理的且つ電気的に接続する。
【０１０６】
ノイズフィルタ２Ａは、そのフィルタ回路６１０を収容する筐体６２０を備える（図２１及び図２２）。その筐体６２０は、合成樹脂等の絶縁性材料で成形する。この筐体６２０は、フィルタ回路６１０が設置される主壁体（図示略）と、この主壁体の周縁部から立設させた周壁体６２１ｂ−６２１ｅと、を有する箱状に成形されており、その内方の空間をフィルタ回路６１０の収容室６２０ａとして利用する（図２１）。この例示の筐体６２０は、矩形の平板状の主壁体と、この主壁体の４つの辺部から各々垂設させた平板状の第１から第４の周壁体６２１ｂ−６２１ｅと、を有している。
【０１０７】
更に、このノイズフィルタ２Ａは、第１電線ＷＥ１の中間接続部ＷＥａ１を主フィルタ回路６１０Ａの第１回路接続部材６１２に対して電気的に接続させる第１電気接続構造６３０と、第２電線ＷＥ２の中間接続部ＷＥａ２を主フィルタ回路６１０Ａの第２回路接続部材６１３に対して電気的に接続させる第２電気接続構造６４０と、を備える（図２１及び図２２）。
【０１０８】
本変形例の第１電気接続構造６３０は、１つの接続部材（以下、「第１電気接続部材」という。）６３０Ａとして、金属等の導電性材料で成形されたものである。この第１電気接続部材６３０Ａは、第１電線ＷＥ１の中間接続部ＷＥａ１に対して物理的且つ電気的に接続される第１電線側接続部６３１と、主フィルタ回路６１０Ａの第１回路接続部材６１２に対して物理的且つ電気的に接続される第１回路側接続部６３２と、を有する（図２１から図２３）。
【０１０９】
第１電線側接続部６３１は、例えば、互いに間隔を空けて対向配置された圧接刃を有するものとして形成する。この第１電線側接続部６３１の圧接刃は、間に差し込んだ第１電線ＷＥ１の被覆ＷＥｂに切込みを入れて、第１電線ＷＥ１の芯線ＷＥａに食い込ませることによって、この第１電線ＷＥ１を電気接続状態で圧接固定する。
【０１１０】
第１回路側接続部６３２は、主フィルタ回路６１０Ａの第１回路接続部材６１２に対して着脱自在となる形状のものとして形成する。この第１回路側接続部６３２は、例えば、第１回路接続部材６１２を挟持することによって、この第１回路接続部材６１２に対して物理的且つ電気的に接続させる。この例示の第１回路側接続部６３２は、平面同士を互いに間隔を空けて対向配置させた片体状の第１片部６３２ａと第２片部６３２ｂとを有する（図２３）。第１片部６３２ａは、第１回路接続部材６１２の一方の平面に対向配置させる。第２片部６３２ｂは、第１回路接続部材６１２の他方の平面に対向配置させる。この第１回路側接続部６３２においては、第１片部６３２ａと第２片部６３２ｂの内の少なくとも一方に、第１回路接続部材６１２に向けて突出させた接点部６３２ｃを設ける（図２３）。この例示では、第１片部６３２ａに接点部６３２ｃを設け、この接点部６３２ｃと第２片部６３２ｂの平面とで第１回路接続部材６１２を挟持して、第１回路側接続部６３２を第１回路接続部材６１２に対して物理的且つ電気的に接続させる。この例示では、第１片部６３２ａの一部を弧状に折り曲げた弧状部を接点部６３２ｃとして利用している。但し、接点部６３２ｃは、その第１片部６３２ａから例えば半球面状に膨出させた膨出部を利用してもよい。
【０１１１】
この第１電気接続部材６３０Ａにおいては、第１片部６３２ａと第２片部６３２ｂとの間に、隣り合うフィルタ回路６１０の配列方向に対する直交方向に沿って第１回路接続部材６１２を挿入していく。このようにして、この第１電気接続部材６３０Ａは、第１回路側接続部６３２に第１回路接続部材６１２を挟持させる。また、この第１電気接続部材６３０Ａは、その第１回路側接続部６３２を第１回路接続部材６１２から抜き取ることもできる。
【０１１２】
この第１電気接続部材６３０Ａは、例えば、先ず、第１電線側接続部６３１に第１電線ＷＥ１の中間接続部ＷＥａ１を接続し、その後、第１回路側接続部６３２で第１回路接続部材６１２を挟み込む。
【０１１３】
この例示の第１電気接続部材６３０Ａは、第１回路接続部材６１２を挟持している状態で第１回路接続部材６１２の平面に沿って延在させたものであり、その延在方向に沿って第１電線側接続部６３１と第１回路側接続部６３２とを配置している。この例示の第１電線側接続部６３１は、その延在方向に対する直交方向で且つ第１回路接続部材６１２の平面に沿う方向に向けて第１電線ＷＥ１の軸線を沿わせるように形成している。但し、この第１電気接続部材６３０Ａは、第１電線側接続部６３１と第１回路側接続部６３２との間に弧状部や屈曲部などを設けて折り曲げ、第１電線側接続部６３１を第１回路接続部材６１２に対してオフセットさせてもよい。これにより、このノイズフィルタ２Ａ及びワイヤハーネスＷＨは、車体に組み付けた状態での周辺部品との干渉対策を図ることができる。
【０１１４】
ここで、この例示の第１回路側接続部６３２は、筐体６２０の収容室６２０ａの中で第１回路接続部材６１２を挟持する。よって、筐体６２０の主壁体や第３周壁体６２１ｄには、第１電線側接続部６３１を筐体６２０の外方に配置させると共に、第１回路側接続部６３２を収容室６２０ａの中に収めるための切欠き６２１ｄ1を設けている（図２１）。
【０１１５】
本変形例の第２電気接続構造６４０は、１つの接続部材（以下、「第２電気接続部材」という。）６４０Ａとして、金属等の導電性材料で成形されたものである。この第２電気接続部材６４０Ａは、第２電線ＷＥ２の中間接続部ＷＥａ２に対して物理的且つ電気的に接続される第２電線側接続部６４１と、主フィルタ回路６１０Ａの第２回路接続部材６１３に対して物理的且つ電気的に接続される第２回路側接続部６４２と、を有する（図２１から図２３）。
【０１１６】
第２電線側接続部６４１は、例えば、第１電線側接続部６３１と同じように、互いに間隔を空けて対向配置された圧接刃を有するものとして形成する。
【０１１７】
第２回路側接続部６４２は、主フィルタ回路６１０Ａの第２回路接続部材６１３に対して着脱自在となる形状のものとして形成する。この第２回路側接続部６４２は、例えば、第２回路接続部材６１３を挟持することによって、この第２回路接続部材６１３に対して物理的且つ電気的に接続させる。この例示の第２回路側接続部６４２は、平面同士を互いに間隔を空けて対向配置させた片体状の第１片部６４２ａと第２片部６４２ｂとを有する（図２３）。第１片部６４２ａは、第２回路接続部材６１３の一方の平面に対向配置させる。第２片部６４２ｂは、第２回路接続部材６１３の他方の平面に対向配置させる。この第２回路側接続部６４２においては、第１片部６４２ａと第２片部６４２ｂの内の少なくとも一方に、第２回路接続部材６１３に向けて突出させた接点部６４２ｃを設ける（図２３）。この例示では、第１片部６４２ａに接点部６４２ｃを設け、この接点部６４２ｃと第２片部６４２ｂの平面とで第２回路接続部材６１３を挟持して、第２回路側接続部６４２を第２回路接続部材６１３に対して物理的且つ電気的に接続させる。この例示では、第１片部６４２ａの一部を弧状に折り曲げた弧状部を接点部６４２ｃとして利用している。但し、接点部６４２ｃは、その第１片部６４２ａから例えば半球面状に膨出させた膨出部を利用してもよい。
【０１１８】
この第２電気接続部材６４０Ａにおいては、第１片部６４２ａと第２片部６４２ｂとの間に、隣り合うフィルタ回路６１０の配列方向に対する直交方向に沿って第２回路接続部材６１３を挿入していく。このようにして、この第２電気接続部材６４０Ａは、第２回路側接続部６４２に第２回路接続部材６１３を挟持させる。また、この第２電気接続部材６４０Ａにおいては、その第２回路側接続部６４２を第２回路接続部材６１３から抜き取ることもできる。
【０１１９】
この第２電気接続部材６４０Ａは、例えば、先ず、第２電線側接続部６４１に第２電線ＷＥ２の中間接続部ＷＥａ２を接続し、その後、第２回路側接続部６４２で第２回路接続部材６１３を挟み込む。
【０１２０】
この例示の第２電気接続部材６４０Ａは、第２回路接続部材６１３を挟持している状態で第２回路接続部材６１３の平面に沿って延在させたものであり、その延在方向に沿って第２電線側接続部６４１と第２回路側接続部６４２とを配置している。この第２電気接続部材６４０Ａの延在方向は、第１電気接続部材６３０Ａの延在方向とは逆向きになっている。この例示の第２電線側接続部６４１は、その延在方向に対する直交方向で且つ第２回路接続部材６１３の平面に沿う方向に向けて第２電線ＷＥ２の軸線を沿わせるように形成している。但し、この第２電気接続部材６４０Ａは、第２電線側接続部６４１と第２回路側接続部６４２との間に弧状部や屈曲部などを設けて折り曲げ、第２電線側接続部６４１を第２回路接続部材６１３に対してオフセットさせてもよい。これにより、このノイズフィルタ２Ａ及びワイヤハーネスＷＨは、車体に組み付けた状態での周辺部品との干渉対策を図ることができる。
【０１２１】
ここで、この例示の第２回路側接続部６４２は、筐体６２０の収容室６２０ａの中で第２回路接続部材６１３を挟持する。よって、筐体６２０の主壁体や第４周壁体６２１ｅには、第２電線側接続部６４１を筐体６２０の外方に配置させると共に、第２回路側接続部６４２を収容室６２０ａの中に収めるための切欠き６２１ｅ1を設けている（図２１）。
【０１２２】
この例示の第１電気接続部材６３０Ａと第２電気接続部材６４０Ａは、各々、金属板をプレス成形して形作られたものであり、同じ部品を用いている。
【０１２３】
このノイズフィルタ２Ａにおいては、全てのフィルタ回路６１０の第１回路接続部材６１２と第２回路接続部材６１３とが同一の平面上に配置されるように、それぞれのフィルタ回路６１０を連結させる。この例示のノイズフィルタ２Ａにおいては、第１電線ＷＥ１と第２電線ＷＥ２のそれぞれの軸線方向に沿って、全てのフィルタ回路６１０を直列に並べて配置する。
【０１２４】
このノイズフィルタ２Ａは、隣り合うフィルタ回路６１０の第１回路接続部材６１２同士を物理的且つ電気的に接続させる（つまり、直接的に電気接続させる）ことが可能で、かつ、隣り合うフィルタ回路６１０のそれぞれの第１回路接続部材６１２の間を切り離すことが可能な第１連結体６５１を備える（図２１から図２３）。更に、このノイズフィルタ２Ａは、隣り合うフィルタ回路６１０の第２回路接続部材６１３同士を物理的且つ電気的に接続させる（つまり、直接的に電気接続させる）ことが可能で、かつ、隣り合うフィルタ回路６１０のそれぞれの第２回路接続部材６１３の間を切り離すことが可能な第２連結体６５２を備える（図２１から図２３）。第１連結体６５１と第２連結体６５２は、金属等の導電性材料で成形する。
【０１２５】
第１連結体６５１は、隣り合うフィルタ回路６１０のそれぞれの第１回路接続部材６１２に対して各々着脱自在となるように成形された１つの部材（第１連結部材）であってもよい。これと同じように、第２連結体６５２は、連結対象の２つの第２回路接続部材６１３に対して各々着脱自在となるように成形された１つの部材（第２連結部材）であってもよい。この例示の第１連結体６５１は、隣り合うフィルタ回路６１０のそれぞれの第１回路接続部材６１２の内の一方に設け、その内の他方に対して電気接続可能で且つ着脱自在となるように形成する。また、この例示の第２連結体６５２は、隣り合うフィルタ回路６１０のそれぞれの第２回路接続部材６１３の内の一方に設け、その内の他方に対して電気接続可能で且つ着脱自在となるように形成する。この例示のノイズフィルタ２Ａにおいては、隣り合うフィルタ回路６１０の内の一方の第１回路接続部材６１２に第１連結体６５１を設け、その一方のフィルタ回路６１０の第２回路接続部材６１３に第２連結体６５２を設ける。
【０１２６】
第１連結体６５１は、平面同士を互いに間隔を空けて対向配置させた片体状の第１片部６５１ａと第２片部６５１ｂとを有する（図２４）。この第１連結体６５１は、第１片部６５１ａと第２片部６５１ｂの双方が第１回路接続部材６１２と一体になってプレス成形されたものであってもよい。また、この第１連結体６５１は、第１片部６５１ａと第２片部６５１ｂの内の一方が第１回路接続部材６１２と一体になってプレス成形され、その内の他方が別部材として成形されて、第１回路接続部材６１２に溶接等で固定されたものであってもよい。この例示では、後者の第１連結体６５１が第１回路接続部材６１２に設けられており、第１片部６５１ａの一方の端部を第１回路接続部材６１２と一体になってプレス成形し、別部材として成形された第２片部６５１ｂの一方の端部を第１回路接続部材６１２に溶接等で固定している。これにより、第１連結体６５１は、一方の端部が第１回路接続部材６１２に対して一体的に設けられる。
【０１２７】
この第１連結体６５１においては、他方の端部（第１片部６５１ａと第２片部６５１ｂのそれぞれの他方の端部）が、隣のフィルタ回路６１０の第１回路接続部材６１２に対して電気接続可能で且つ着脱自在な連結部となる。この第１連結体６５１の他方の端部は、隣り合うフィルタ回路６１０の配列方向に沿って、自身が設けられている第１回路接続部材６１２から突出させる。この第１連結体６５１は、その第１片部６５１ａと第２片部６５１ｂのそれぞれの他方の端部の間に隣のフィルタ回路６１０の第１回路接続部材６１２を挟み込み、第１片部６５１ａと第２片部６５１ｂとを隣の第１回路接続部材６１２に対して物理的且つ電気的に接続させることによって、隣り合う第１回路接続部材６１２同士を電気的に接続させる。また、この第１連結体６５１が設けられている第１回路接続部材６１２には、この第１連結体６５１とは逆側に配置される隣のフィルタ回路６１０の第１連結体６５１が接続される。
【０１２８】
本変形例の筐体６２０は、主壁体や第１周壁体６２１ｂに、収容室６２０ａに収容されたフィルタ回路６１０が有する第１連結体６５１の一方の端部を収容室６２０ａの中に収め、かつ、この第１連結体６５１の他方の端部を収容室６２０ａの外に配置するための切欠き６２１ｂ1を有している（図２１）。そして、この筐体６２０は、主壁体や第２周壁体６２１ｃに、その第１連結体６５１とは逆側に配置される隣のフィルタ回路６１０の第１連結体６５１の他方の端部を収容室６２０ａの中に収めるための切欠き６２１ｃ1を有している（図２１）。この例示の第１回路接続部材６１２は、その切欠き６２１ｃ1から収容室６２０ａの外に突出させる片体状の片部６１２ｃを有する（図２１及び図２２）。その片部６１２ｃは、隣のフィルタ回路６１０の第１連結体６５１の他方の端部を連結させる際のガイド部として機能する。
【０１２９】
この第１連結体６５１においては、第１片部６５１ａと第２片部６５１ｂの内の少なくとも一方に、対向配置された他方の片部に向けて突出させた接点部６５１ｃを設ける（図２４）。この例示の第１連結体６５１においては、第１片部６５１ａに接点部６５１ｃを設け、この接点部６５１ｃと第２片部６５１ｂの平面とで隣のフィルタ回路６１０の第１回路接続部材６１２を挟持して、隣り合う第１回路接続部材６１２同士を電気的に接続させる。この例示では、第１片部６５１ａの一部を弧状に折り曲げた弧状部を接点部６５１ｃとして利用している。但し、接点部６５１ｃは、その第１片部６５１ａから例えば半球面状に膨出させた膨出部を利用してもよい。
【０１３０】
この第１連結体６５１においては、第１片部６５１ａと第２片部６５１ｂのそれぞれの他方の端部の間に、隣り合うフィルタ回路６１０の配列方向に沿って隣の第１回路接続部材６１２を挿入していく。このようにして、この第１連結体６５１は、第１片部６５１ａと第２片部６５１ｂのそれぞれの他方の端部に隣の第１回路接続部材６１２を挟持させる。また、この第１連結体６５１は、その他方の端部を隣の第１回路接続部材６１２から抜き取ることもできる。
【０１３１】
第２連結体６５２は、平面同士を互いに間隔を空けて対向配置させた片体状の第１片部６５２ａと第２片部６５２ｂとを有する（図２４）。この第２連結体６５２は、第１片部６５２ａと第２片部６５２ｂの双方が第２回路接続部材６１３と一体になってプレス成形されたものであってもよい。また、この第２連結体６５２は、第１片部６５２ａと第２片部６５２ｂの内の一方が第２回路接続部材６１３と一体になってプレス成形され、その内の他方が別部材として成形されて、第２回路接続部材６１３に溶接等で固定されたものであってもよい。この例示では、後者の第２連結体６５２が第２回路接続部材６１３に設けられており、第１片部６５２ａの一方の端部を第２回路接続部材６１３と一体になってプレス成形し、別部材として成形された第２片部６５２ｂの一方の端部を第２回路接続部材６１３に溶接等で固定している。これにより、第２連結体６５２は、一方の端部が第２回路接続部材６１３に対して一体的に設けられる。
【０１３２】
この第２連結体６５２においては、他方の端部（第１片部６５２ａと第２片部６５２ｂのそれぞれの他方の端部）が、隣のフィルタ回路６１０の第２回路接続部材６１３に対して電気接続可能で且つ着脱自在な連結部となる。この第２連結体６５２の他方の端部は、隣り合うフィルタ回路６１０の配列方向に沿って、自身が設けられている第２回路接続部材６１３から突出させる。この第２連結体６５２は、その第１片部６５２ａと第２片部６５２ｂのそれぞれの他方の端部の間に隣のフィルタ回路６１０の第２回路接続部材６１３を挟み込み、第１片部６５２ａと第２片部６５２ｂとを隣の第２回路接続部材６１３に対して物理的且つ電気的に接続させることによって、隣り合う第２回路接続部材６１３同士を電気的に接続させる。また、この第２連結体６５２が設けられている第２回路接続部材６１３には、この第２連結体６５２とは逆側に配置される隣のフィルタ回路６１０の第２連結体６５２が接続される。
【０１３３】
本変形例の筐体６２０は、主壁体や第１周壁体６２１ｂに、収容室６２０ａに収容されたフィルタ回路６１０が有する第２連結体６５２の一方の端部を収容室６２０ａの中に収め、かつ、この第２連結体６５２の他方の端部を収容室６２０ａの外に配置するための切欠き６２１ｂ2を有している（図２１）。そして、この筐体６２０は、主壁体や第２周壁体６２１ｃに、その第２連結体６５２とは逆側に配置される隣のフィルタ回路６１０の第２連結体６５２の他方の端部を収容室６２０ａの中に収めるための切欠き６２１ｃ2を有している（図２１）。この例示の第２回路接続部材６１３は、その切欠き６２１ｃ2から収容室６２０ａの外に突出させる片体状の片部６１３ｃを有する（図２１及び図２２）。その片部６１３ｃは、隣のフィルタ回路６１０の第２連結体６５２の他方の端部を連結させる際のガイド部として機能する。
【０１３４】
この第２連結体６５２においては、第１片部６５２ａと第２片部６５２ｂの内の少なくとも一方に、対向配置された他方の片部に向けて突出させた接点部６５２ｃを設ける（図２４）。この例示の第２連結体６５２においては、第１片部６５２ａに接点部６５２ｃを設け、この接点部６５２ｃと第２片部６５２ｂの平面とで隣のフィルタ回路６１０の第２回路接続部材６１３を挟持して、隣り合う第２回路接続部材６１３同士を電気的に接続させる。この例示では、第１片部６５２ａの一部を弧状に折り曲げた弧状部を接点部６５２ｃとして利用している。但し、接点部６５２ｃは、その第１片部６５２ａから例えば半球面状に膨出させた膨出部を利用してもよい。
【０１３５】
この第２連結体６５２においては、第１片部６５２ａと第２片部６５２ｂのそれぞれの他方の端部の間に、隣り合うフィルタ回路６１０の配列方向に沿って隣の第２回路接続部材６１３を挿入していく。このようにして、この第２連結体６５２は、第１片部６５２ａと第２片部６５２ｂのそれぞれの他方の端部に隣の第２回路接続部材６１３を挟持させる。また、この第２連結体６５２は、その他方の端部を隣の第２回路接続部材６１３から抜き取ることもできる。
【０１３６】
ここで、第１連結体６５１は、隣り合うフィルタ回路６１０の配列方向に沿って、自身が設けられている第１回路接続部材６１２から他方の端部を突出させ、かつ、この第１回路接続部材６１２の平面に沿って延在させている。また、第２連結体６５２は、隣り合うフィルタ回路６１０の配列方向に沿って、自身が設けられている第２回路接続部材６１３から他方の端部を突出させ、かつ、この第２回路接続部材６１３の平面に沿って延在させている。但し、この第１連結体６５１と第２連結体６５２は、両端部の間に弧状部や屈曲部などを設けて折り曲げ、他方の端部を一方の端部に対してオフセットさせてもよい。これにより、このノイズフィルタ２Ａ及びワイヤハーネスＷＨは、車体に組み付けた状態での周辺部品との干渉対策を図ることができる。
【０１３７】
このノイズフィルタ２Ａは、例えば、それぞれのフィルタ回路６１０を連結させた後、その全てを幹線ＷＴと一緒に粘着テープ等で巻き付けて、この幹線ＷＴに抱きかかえさせればよい。
【０１３８】
以上示した本変形例のノイズフィルタ２Ａは、前述した実施形態のノイズフィルタ１が得られる効果を奏するのみならず、連結させるフィルタ回路６１０の個数を簡便な方法で変更することができるので、ノイズ低減の要求性能に応じたフィルタ回路特性の容易な調整が可能になる。よって、このノイズフィルタ２Ａは、様々なフィルタ回路特性に容易に対応することができる。
【０１３９】
図２５には、周波数を横軸とし、ノイズ低減レベルを縦軸としたフィルタ回路特性の概念図を示している。本図では、破線でノイズ低減の要求性能を表し、実線で本変形例のノイズフィルタ２Ａのフィルタ回路特性を表し、二点鎖線でフィルタ回路６１０が１つだけのノイズフィルタのフィルタ回路特性を表している。
【０１４０】
また、本変形例のノイズフィルタ２Ａは、接地されている第１電線ＷＥ１と第２電線ＷＥ２の内の何れか一方（この例示では第２電線ＷＥ２）に主フィルタ回路６１０Ａを接続することによって、アースを取ることができる。つまり、このノイズフィルタ２Ａは、フィルタ回路６１０の個数に拘わらず、従来のノイズフィルタのようにフィルタ回路毎にアース端子を設ける必要がない。よって、このノイズフィルタ２Ａは、組付け作業性を向上させることができる。
【０１４１】
更に、本変形例のノイズフィルタ２Ａは、第１電気接続部材６３０Ａ（第１電気接続構造６３０）と第２電気接続部材６４０Ａ（第２電気接続構造６４０）とによって、フィルタ回路６１０側と第１電線ＷＥ１側及び第２電線ＷＥ２側との間を着脱自在に構成しているので、第１電線ＷＥ１及び第２電線ＷＥ２に対する着脱作業が容易になっている。よって、このノイズフィルタ２Ａは、第１電線ＷＥ１及び第２電線ＷＥ２に対する組付け作業性に優れており、かつ、交換作業性にも優れている。また更に、本変形例のノイズフィルタ２Ａは、第１連結体６５１と第２連結体６５２とによって、隣り合うフィルタ回路６１０の間を着脱自在に構成しているので、交換対象のフィルタ回路６１０を特定することで、そのフィルタ回路６１０のみを交換することができる。
【０１４２】
また更に、本変形例のノイズフィルタ２Ａにおいては、第１回路接続部材６１２と第２回路接続部材６１３とを各々平板状に成形している。そして、このノイズフィルタ２Ａにおいては、第１電気接続部材６３０Ａの第１回路側接続部６３２と第１連結体６５１とを、第１回路接続部材６１２の平面の間を挟み込んで電気接続させるものとして形成し、かつ、第２電気接続部材６４０Ａの第２回路側接続部６４２と第２連結体６５２とを、第２回路接続部材６１３の平面の間を挟み込んで電気接続させるものとして形成している。従って、このノイズフィルタ２Ａは、そのそれぞれの接続構造の小型化が可能になり、延いては体格の小型化を図ることができる。また、このノイズフィルタ２Ａは、そのそれぞれの接続構造の簡略化も可能になる。
【０１４３】
また、本変形例のワイヤハーネスＷＨは、そのようなノイズフィルタ２Ａを具備するものであり、このノイズフィルタ２Ａが得られる効果を奏することができる。
【０１４４】
ここで、本変形例では、フィルタ回路６１０毎に筐体６２０を備えるものとして例示した。但し、本変形例のノイズフィルタ２Ａは、そのような筐体６２０に替えて、２つ以上のフィルタ回路６１０が一纏めにして収容される筐体を備えるものとして構成してもよい。
【０１４５】
［ノイズフィルタ２Ｂ］
ここで、本変形例のノイズフィルタ２は、先の第１及び第２の電気接続構造６３０，６４０並びに先の第１及び第２の連結体６５１，６５２に替えて、次のような第１及び第２の電気接続構造７３０，７４０並びに第１及び第２の連結体７５１，７５２を設けたノイズフィルタ２Ｂとして構成してもよい（図２６及び図２７）。
【０１４６】
このノイズフィルタ２Ｂには、先のノイズフィルタ２Ａと同じように、ノイズ成分を低減させるフィルタ回路７１０を複数備える（図２６及び図２７）。その複数のフィルタ回路７１０については、それぞれの中間接続部ＷＥａ１，ＷＥａ２に対して電気的に接続させる１つの主フィルタ回路７１０Ａと、これ以外の残りの副フィルタ回路７１０Ｂと、に大別する。
【０１４７】
フィルタ回路７１０は、先に示したフィルタ回路６１０と同様の少なくとも１つのノイズ低減素子１１と第１回路接続部材７１２と第２回路接続部材７１３とを備える（図２７）。
【０１４８】
この例示のフィルタ回路７１０は、ノイズ低減素子１１として１つのコンデンサを備えており、この１つのコンデンサでノイズの低減を図ることができるように構成する。第１回路接続部材７１２と第２回路接続部材７１３は、先の第１回路接続部材６１２や第２回路接続部材６１３と同様に形成された導電部材であり、各々、金属等の導電性材料で板状のバスバとして成形されている。但し、この例示の第１回路接続部材７１２は、先の第１回路接続部材６１２に対して一体的に設けた第１連結体６５１と片部６１２ｃとに相当するものを有していない。また、この例示の第２回路接続部材７１３は、先の第２回路接続部材６１３に対して一体的に設けた第２連結体６５２と片部６１３ｃとに相当するものを有していない。
【０１４９】
このノイズフィルタ２Ｂは、フィルタ回路７１０を収容する筐体７２１を備える（図２６）。その筐体７２１は、合成樹脂等の絶縁性材料で成形する。この筐体７２１は、フィルタ回路７１０毎に設けたものであってもよく、２つ以上のフィルタ回路７１０を一纏めに収容するものであってもよい。また、筐体７２１は、フィルタ回路７１０の着脱が可能な複数の筐体部材を互いに嵌め合わせて成るものであってもよく、フィルタ回路７１０に対して一体成形されたものであってもよい。
【０１５０】
この筐体７２１は、後述する第１電気接続部材７３０Ａの第１回路側接続部７３２又は第１連結体７５１の第１連結部７５１ａを挿入し、その第１回路側接続部７３２又は第１連結部７５１ａを第１回路接続部材７１２に接続することが可能で、かつ、後述する第２電気接続部材７４０Ａの第２回路側接続部７４２又は第２連結体７５２の第２連結部７５２ａを挿入し、その第２回路側接続部７４２又は第２連結部７５２ａを第２回路接続部材７１３に接続することが可能な貫通孔７２１ａを２箇所に有する（図２６）。それぞれの貫通孔７２１ａは、第１回路接続部材７１２と第２回路接続部材７１３のそれぞれの平面に沿って対向配置させる。
【０１５１】
更に、このノイズフィルタ２Ｂは、第１電線ＷＥ１の中間接続部ＷＥａ１を主フィルタ回路７１０Ａの第１回路接続部材７１２に対して電気的に接続させる第１電気接続構造７３０と、第２電線ＷＥ２の中間接続部ＷＥａ２を主フィルタ回路７１０Ａの第２回路接続部材７１３に対して電気的に接続させる第２電気接続構造７４０と、を備える（図２７）。
【０１５２】
第１電気接続構造７３０は、１つの接続部材（以下、「第１電気接続部材」という。）７３０Ａとして、金属等の導電性材料で成形されたものである。この第１電気接続部材７３０Ａは、第１電線ＷＥ１の中間接続部ＷＥａ１に対して物理的且つ電気的に接続される第１電線側接続部７３１と、主フィルタ回路７１０Ａの第１回路接続部材７１２に対して物理的且つ電気的に接続される第１回路側接続部７３２と、を有する（図２７）。
【０１５３】
例えば、その第１電線側接続部７３１及び第１回路側接続部７３２は、各々、先の第１電気接続部材６３０Ａの第１電線側接続部６３１及び第１回路側接続部６３２と同様の形状のものとして形成する。よって、第１回路側接続部７３２は、平面同士を互いに間隔を空けて対向配置させた片体状の第１片部７３２ａ及び第２片部７３２ｂと、その第１片部７３２ａと第２片部７３２ｂの内の少なくとも一方に設けた接点部７３２ｃと、を有する（図２７）。この例示では、第１片部７３２ａに接点部７３２ｃを設け、この接点部７３２ｃと第２片部７３２ｂの平面とで第１回路接続部材７１２を挟持して、第１回路側接続部７３２を第１回路接続部材７１２に対して物理的且つ電気的に接続させる。この第１電気接続部材７３０Ａにおいては、第１片部７３２ａと第２片部７３２ｂとの間に、隣り合うフィルタ回路７１０の配列方向に対する直交方向に沿って第１回路接続部材７１２を挿入していく。このようにして、この第１電気接続部材７３０Ａは、第１回路側接続部７３２に第１回路接続部材７１２を挟持させる。また、この第１電気接続部材７３０Ａは、その第１回路側接続部７３２を第１回路接続部材７１２から抜き取ることもできる。
【０１５４】
第２電気接続構造７４０は、１つの接続部材（以下、「第２電気接続部材」という。）７４０Ａとして、金属等の導電性材料で成形されたものである。この第２電気接続部材７４０Ａは、第２電線ＷＥ２の中間接続部ＷＥａ２に対して物理的且つ電気的に接続される第２電線側接続部７４１と、主フィルタ回路７１０Ａの第２回路接続部材７１３に対して物理的且つ電気的に接続される第２回路側接続部７４２と、を有する（図２７）。
【０１５５】
例えば、その第２電線側接続部７４１及び第２回路側接続部７４２は、各々、先の第２電気接続部材６４０Ａの第２電線側接続部６４１及び第２回路側接続部６４２と同様の形状のものとして形成する。よって、第２回路側接続部７４２は、平面同士を互いに間隔を空けて対向配置させた片体状の第１片部７４２ａ及び第２片部７４２ｂと、その第１片部７４２ａと第２片部７４２ｂの内の少なくとも一方に設けた接点部７４２ｃと、を有する（図２７）。この例示では、第１片部７４２ａに接点部７４２ｃを設け、この接点部７４２ｃと第２片部７４２ｂの平面とで第２回路接続部材７１３を挟持して、第２回路側接続部７４２を第２回路接続部材７１３に対して物理的且つ電気的に接続させる。この第２電気接続部材７４０Ａにおいては、第１片部７４２ａと第２片部７４２ｂとの間に、隣り合うフィルタ回路７１０の配列方向に対する直交方向に沿って第２回路接続部材７１３を挿入していく。このようにして、この第２電気接続部材７４０Ａは、第２回路側接続部７４２に第２回路接続部材７１３を挟持させる。また、この第２電気接続部材７４０Ａにおいては、その第２回路側接続部７４２を第２回路接続部材７１３から抜き取ることもできる。
【０１５６】
更に、このノイズフィルタ２Ｂは、隣り合うフィルタ回路７１０の第１回路接続部材７１２同士を間接的に電気接続させることが可能で、かつ、隣り合うフィルタ回路７１０のそれぞれの第１回路接続部材７１２の間を切り離すことが可能な第１連結体７５１を備える（図２７）。更に、このノイズフィルタ２Ｂは、隣り合うフィルタ回路７１０の第２回路接続部材７１３同士を間接的に電気接続させることが可能で、かつ、隣り合うフィルタ回路７１０のそれぞれの第２回路接続部材７１３の間を切り離すことが可能な第２連結体７５２を備える（図２７）。第１連結体７５１と第２連結体７５２は、金属等の導電性材料で成形する。また、第１連結体７５１と第２連結体７５２は、各々、複数のフィルタ回路７１０毎に設ける。
【０１５７】
第１連結体７５１は、１つの連結部材（以下、「第１連結部材」という。）として、金属等の導電性材料で成形されたものである。この第１連結体７５１は、隣り合うフィルタ回路７１０のそれぞれの第１回路接続部材７１２の内の一方に対して物理的且つ電気的に接続される着脱自在な第１連結部７５１ａと、その内の他方に接続された隣の第１連結体７５１に対して物理的且つ電気的に接続される着脱自在な第２連結部７５１ｂと、を有する（図２７）。更に、この第１連結体７５１は、隣の第１連結体７５１の第２連結部７５１ｂが物理的且つ電気的に接続される被連結部７５１ｃを有する（図２７）。
【０１５８】
この例示の第１連結部７５１ａは、第１電気接続部材７３０Ａの第１回路側接続部７３２と同様の形状のものとして形成している。よって、この第１連結部７５１ａは、平面同士を互いに間隔を空けて対向配置させた片体状の第１片部７５１ａ1及び第２片部７５１ａ2と、その第１片部７５１ａ1と第２片部７５１ａ2の内の少なくとも一方に設けた接点部７５１ａ3と、を有する（図２７）。この例示では、第１片部７５１ａ1に接点部７５１ａ3を設け、この接点部７５１ａ3と第２片部７５１ａ2の平面とで第１回路接続部材７１２を挟持して、第１連結部７５１ａを第１回路接続部材７１２に対して物理的且つ電気的に接続させる。この第１連結体７５１においては、第１片部７５１ａ1と第２片部７５１ａ2との間に、隣り合うフィルタ回路７１０の配列方向に対する直交方向に沿って第１回路接続部材７１２を挿入していく。このようにして、この第１連結体７５１は、第１連結部７５１ａに第１回路接続部材７１２を挟持させる。また、この第１連結体７５１は、その第１連結部７５１ａを第１回路接続部材７１２から抜き取ることもできる。
【０１５９】
この例示の第２連結部７５１ｂは、その第１連結部７５１ａと同様の形状のものとして形成している。よって、この第２連結部７５１ｂは、平面同士を互いに間隔を空けて対向配置させた片体状の第１片部７５１ｂ1及び第２片部７５１ｂ2と、その第１片部７５１ｂ1と第２片部７５１ｂ2の内の少なくとも一方に設けた接点部７５１ｂ3と、を有する（図２７）。この例示では、第１片部７５１ｂ1に接点部７５１ｂ3を設け、この接点部７５１ｂ3と第２片部７５１ｂ2の平面とで隣の第１連結体７５１の被連結部７５１ｃを挟持して、第２連結部７５１ｂを隣の第１連結体７５１の被連結部７５１ｃに対して物理的且つ電気的に接続させる。この第１連結体７５１においては、第１片部７５１ｂ1と第２片部７５１ｂ2との間に、隣り合うフィルタ回路７１０の配列方向に沿って隣の第１連結体７５１の被連結部７５１ｃを挿入していく。このようにして、この第１連結体７５１は、第２連結部７５１ｂに隣の第１連結体７５１の被連結部７５１ｃを挟持させる。また、この第１連結体７５１は、その第２連結部７５１ｂを隣の第１連結体７５１の被連結部７５１ｃから抜き取ることもできる。
【０１６０】
被連結部７５１ｃは、隣の第１連結体７５１の第２連結部７５１ｂに挟持される平板状の部位である。この第１連結体７５１においては、第１連結部７５１ａと第２連結部７５１ｂとの間に被連結部７５１ｃを配置している。この例示の被連結部７５１ｃは、第１回路接続部材７１２と同一の平面上に配置されるものとして、又は、第１回路接続部材７１２の平面に対して直交方向にオフセットさせた平面を有するものとして形成する。また、この例示の被連結部７５１ｃは、２つの片部を有するＬ字の平板状に形成して、一方の片部に第１連結部７５１ａを配置し、他方の片部に第２連結部７５１ｂを配置している。この例示の被連結部７５１ｃは、一方の片部を隣り合うフィルタ回路７１０の配列方向に対する直交方向に沿って延在させ、他方の片部を隣り合うフィルタ回路７１０の配列方向に沿って延在させている。
【０１６１】
ここで、この第１連結体７５１は、主フィルタ回路７１０Ａと副フィルタ回路７１０Ｂとに各々対応させて設ける。但し、この例示のノイズフィルタ２Ｂにおいては、第１連結部７５１ａと同様の機能を持つ第１回路側接続部７３２が第１電気接続部材７３０Ａに形成されている。そこで、このノイズフィルタ２Ｂにおいては、その第１電気接続部材７３０Ａに第２連結部７５１ｂと被連結部７５１ｃの内の少なくとも一方の機能も持たせることによって、主フィルタ回路７１０Ａの第１電気接続部材７３０Ａと第１連結体７５１とを１つの部品として構成し、かつ、第１連結体７５１を副フィルタ回路７１０Ｂのみに対応させる専用部品として設ける。この例示の第１電気接続部材７３０Ａは、第２連結部７５１ｂと被連結部７５１ｃの双方の機能も持つものとして形成している（図２７）。
【０１６２】
第２連結体７５２は、１つの連結部材（以下、「第２連結部材」という。）として、金属等の導電性材料で成形されたものである。この第２連結体７５２は、隣り合うフィルタ回路７１０のそれぞれの第２回路接続部材７１３の内の一方に対して物理的且つ電気的に接続される着脱自在な第１連結部７５２ａと、その内の他方に接続された隣の第２連結体７５２に対して物理的且つ電気的に接続される着脱自在な第２連結部７５２ｂと、を有する（図２７）。更に、この第２連結体７５２は、隣の第２連結体７５２の第２連結部７５２ｂが物理的且つ電気的に接続される被連結部７５２ｃを有する（図２７）。
【０１６３】
この例示の第１連結部７５２ａは、第２電気接続部材７４０Ａの第２回路側接続部７４２と同様の形状のものとして形成している。よって、この第１連結部７５２ａは、平面同士を互いに間隔を空けて対向配置させた片体状の第１片部７５２ａ1及び第２片部７５２ａ2と、その第１片部７５２ａ1と第２片部７５２ａ2の内の少なくとも一方に設けた接点部７５２ａ3と、を有する（図２７）。この例示では、第１片部７５２ａ1に接点部７５２ａ3を設け、この接点部７５２ａ3と第２片部７５２ａ2の平面とで第２回路接続部材７１３を挟持して、第１連結部７５２ａを第２回路接続部材７１３に対して物理的且つ電気的に接続させる。この第２連結体７５２においては、第１片部７５２ａ1と第２片部７５２ａ2との間に、隣り合うフィルタ回路７１０の配列方向に対する直交方向に沿って第２回路接続部材７１３を挿入していく。このようにして、この第２連結体７５２は、第１連結部７５２ａに第２回路接続部材７１３を挟持させる。また、この第２連結体７５２は、その第１連結部７５２ａを第２回路接続部材７１３から抜き取ることもできる。
【０１６４】
この例示の第２連結部７５２ｂは、その第１連結部７５２ａと同様の形状のものとして形成している。よって、この第２連結部７５２ｂは、平面同士を互いに間隔を空けて対向配置させた片体状の第１片部７５２ｂ1及び第２片部７５２ｂ2と、その第１片部７５２ｂ1と第２片部７５２ｂ2の内の少なくとも一方に設けた接点部７５２ｂ3と、を有する（図２７）。この例示では、第１片部７５２ｂ1に接点部７５２ｂ3を設け、この接点部７５２ｂ3と第２片部７５２ｂ2の平面とで隣の第２連結体７５２の被連結部７５２ｃを挟持して、第２連結部７５２ｂを隣の第２連結体７５２の被連結部７５２ｃに対して物理的且つ電気的に接続させる。この第２連結体７５２においては、第１片部７５２ｂ1と第２片部７５２ｂ2との間に、隣り合うフィルタ回路７１０の配列方向に沿って隣の第２連結体７５２の被連結部７５２ｃを挿入していく。このようにして、この第２連結体７５２は、第２連結部７５２ｂに隣の第２連結体７５２の被連結部７５２ｃを挟持させる。また、この第２連結体７５２は、その第２連結部７５２ｂを隣の第２連結体７５２の被連結部７５２ｃから抜き取ることもできる。
【０１６５】
被連結部７５２ｃは、隣の第２連結体７５２の第２連結部７５２ｂに挟持される平板状の部位である。この第２連結体７５２においては、第１連結部７５２ａと第２連結部７５２ｂとの間に被連結部７５２ｃを配置している。この例示の被連結部７５２ｃは、第２回路接続部材７１３と同一の平面上に配置されるものとして、又は、第２回路接続部材７１３の平面に対して直交方向にオフセットさせた平面を有するものとして形成する。また、この例示の被連結部７５２ｃは、２つの片部を有するＬ字の平板状に形成して、一方の片部に第１連結部７５２ａを配置し、他方の片部に第２連結部７５２ｂを配置している。この例示の被連結部７５２ｃは、一方の片部を隣り合うフィルタ回路７１０の配列方向に対する直交方向に沿って延在させ、他方の片部を隣り合うフィルタ回路７１０の配列方向に沿って延在させている。
【０１６６】
ここで、この第２連結体７５２は、主フィルタ回路７１０Ａと副フィルタ回路７１０Ｂとに各々対応させて設ける。但し、この例示のノイズフィルタ２Ｂにおいては、第１連結部７５２ａと同様の機能を持つ第２回路側接続部７４２が第２電気接続部材７４０Ａに形成されている。そこで、このノイズフィルタ２Ｂにおいては、その第２電気接続部材７４０Ａに第２連結部７５２ｂと被連結部７５２ｃの内の少なくとも一方の機能も持たせることによって、主フィルタ回路７１０Ａの第２電気接続部材７４０Ａと第２連結体７５２とを１つの部品として構成し、かつ、第２連結体７５２を副フィルタ回路７１０Ｂのみに対応させる専用部品として設ける。この例示の第２電気接続部材７４０Ａは、第２連結部７５２ｂと被連結部７５２ｃの双方の機能も持つものとして形成している（図２７）。
【０１６７】
このノイズフィルタ２Ｂは、第１電気接続部材７３０Ａを収容する第１筐体７２２Ａと、第２電気接続部材７４０Ａを収容する第２筐体７２２Ｂと、第１連結体７５１を収容する第３筐体７２２Ｃと、第２連結体７５２を収容する第４筐体７２２Ｄと、を備える（図２６）。その第１から第４の筐体７２２Ａ，７２２Ｂ，７２２Ｃ，７２２Ｄは、合成樹脂等の絶縁性材料で成形する。
【０１６８】
第１筐体７２２Ａは、第１電気接続部材７３０Ａの他に、第１電線ＷＥ１の中間接続部ＷＥａ１についても収容する。この第１筐体７２２Ａは、少なくとも第１電気接続部材７３０Ａの第１電線側接続部７３１と第１電線ＷＥ１の中間接続部ＷＥａ１との間の着脱が可能な複数の筐体部材を互いに嵌め合わせて成る。この例示の第１筐体７２２Ａは、隣の第３筐体７２２Ｃに収容されている第１連結体７５１の第２連結部７５１ｂを挿入し、その第２連結部７５１ｂを第１電気接続部材７３０Ａにおける被連結部７５１ｃに接続することが可能な貫通孔７２２Ａ1を有する（図２６）。
【０１６９】
第２筐体７２２Ｂは、第２電気接続部材７４０Ａの他に、第２電線ＷＥ２の中間接続部ＷＥａ２についても収容する。この第２筐体７２２Ｂは、少なくとも第２電気接続部材７４０Ａの第２電線側接続部７４１と第２電線ＷＥ２の中間接続部ＷＥａ２との間の着脱が可能な複数の筐体部材を互いに嵌め合わせて成る。この例示の第２筐体７２２Ｂは、隣の第４筐体７２２Ｄに収容されている第２連結体７５２の第２連結部７５２ｂを挿入し、その第２連結部７５２ｂを第２電気接続部材７４０Ａにおける被連結部７５２ｃに接続することが可能な貫通孔７２２Ｂ1を有する（図２６）。
【０１７０】
第３筐体７２２Ｃは、第１連結体７５１の着脱が可能な複数の筐体部材を互いに嵌め合わせて成るものであってもよく、第１連結体７５１に対して一体成形されたものであってもよい。この例示の第３筐体７２２Ｃは、隣の第３筐体７２２Ｃに収容されている第２連結体７５１の第２連結部７５１ｂを挿入し、その第２連結部７５１ｂを自らが収容している第１連結体７５１の被連結部７５１ｃに接続することが可能な貫通孔７２２Ｃ1を有する（図２６）。
【０１７１】
第４筐体７２２Ｄは、第２連結体７５２の着脱が可能な複数の筐体部材を互いに嵌め合わせて成るものであってもよく、第２連結体７５２に対して一体成形されたものであってもよい。この例示の第４筐体７２２Ｄは、隣の第４筐体７２２Ｄに収容されている第２連結体７５２の第２連結部７５２ｂを挿入し、その第２連結部７５２ｂを自らが収容している第２連結体７５２の被連結部７５２ｃに接続することが可能な貫通孔７２２Ｄ1を有する（図２６）。
【０１７２】
このノイズフィルタ２Ｂは、全ての部品を連結させた後、その全てを幹線ＷＴと一緒に粘着テープ等で巻き付けて、この幹線ＷＴに抱きかかえさせればよい。
【０１７３】
以上示したノイズフィルタ２Ｂ及びワイヤハーネスＷＨは、このように構成しても、先のノイズフィルタ２Ａ及びワイヤハーネスＷＨと同様の効果を得ることができる。
【０１７４】
［ノイズフィルタ２Ｃ］
ここで、本変形例のノイズフィルタ２は、先の第１及び第２の電気接続構造６３０，６４０並びに先の第１及び第２の連結体６５１，６５２に替えて、次のような第１及び第２の電気接続構造８３０，８４０を設けたノイズフィルタ２Ｃとして構成してもよい（図２８及び図２９）。
【０１７５】
このノイズフィルタ２Ｃには、先のノイズフィルタ２Ａと同じように、ノイズ成分を低減させるフィルタ回路８１０を複数備える（図２９）。フィルタ回路８１０は、ノイズ成分を低減させる少なくとも１つのノイズ低減素子１１と、このノイズ低減素子１１の第１素子接続部が電気的に接続された導電性の第１回路接続部材８１２と、ノイズ低減素子１１の第２素子接続部が電気的に接続された導電性の第２回路接続部材８１３と、を備える（図２９）。この例示のフィルタ回路８１０は、ノイズ低減素子１１として１つのコンデンサを備えており、この１つのコンデンサでノイズの低減を図ることができるように構成する。
【０１７６】
第１回路接続部材８１２と第２回路接続部材８１３は、ノイズ低減素子１１を介して互いを電気的に接続させる導電部材である。この例示の第１回路接続部材８１２と第２回路接続部材８１３は、各々、金属等の導電性材料で平板状の音叉端子として成形されている（図２９）。第１回路接続部材８１２においては、端子部の根元にノイズ低減素子１１の第１素子接続部が物理的且つ電気的に接続される。また、第２回路接続部材８１３においては、端子部の根元にノイズ低減素子１１の第２素子接続部が物理的且つ電気的に接続される。
【０１７７】
このノイズフィルタ２Ｃは、フィルタ回路８１０を収容する筐体８２１を備える（図２８）。その筐体８２１は、合成樹脂等の絶縁性材料で成形する。この筐体８２１は、フィルタ回路８１０毎に設けたものであってもよく、２つ以上のフィルタ回路８１０を一纏めに収容するものであってもよい。また、筐体８２１は、フィルタ回路８１０の着脱が可能な複数の筐体部材を互いに嵌め合わせて成るものであってもよく、フィルタ回路８１０に対して一体成形されたものであってもよい。
【０１７８】
この筐体８２１は、第１回路接続部材８１２と第２回路接続部材８１３のそれぞれの平面が、隣り合うフィルタ回路８１０の配列方向に対する直交平面となるように、第１回路接続部材８１２と第２回路接続部材８１３とを収容する。また、この筐体８２１は、第１回路接続部材８１２の端子部における相手方挿入口と第２回路接続部材８１３の端子部における相手方挿入口とが互いに逆を向くように、第１回路接続部材８１２と第２回路接続部材８１３とを収容する。この筐体８２１は、後述する第１電気接続部材８３０Ａの第１接続部位８３３を挿入し、その第１接続部位８３３を第１回路接続部材８１２に接続することが可能で、かつ、後述する第２電気接続部材８４０Ａの第２接続部位８４３を挿入し、その第２接続部位８４３を第２回路接続部材８１３に接続することが可能な切欠き部８２１ａを２箇所に有する（図２８）。具体的に、それぞれの切欠き部８２１ａは、第１電気接続部材８３０Ａの後述する第１回路側接続部８３２の一辺を挿入することが可能で、かつ、第２電気接続部材８４０Ａの後述する第２回路側接続部８４２の一辺を挿入することが可能なものとして形成する。それぞれの切欠き部８２１ａにおいては、対応する第１接続部位８３３又は第２接続部位８４３が挿入され、第１接続部位８３３が第１回路接続部材８１２に接続されると共に、第２接続部位８４３が第２回路接続部材８１３に接続される。
【０１７９】
更に、このノイズフィルタ２Ｃは、複数のフィルタ回路８１０の内の１つ（主フィルタ回路）の第１回路接続部材８１２に対して第１電線ＷＥ１の中間接続部ＷＥａ１を電気的に接続させる第１電気接続構造８３０と、その主フィルタ回路の第２回路接続部材８１３に対して第２電線ＷＥ２の中間接続部ＷＥａ２を電気的に接続させる第２電気接続構造８４０と、を備える（図２９）。この例示の第１電気接続構造８３０は、第１電線ＷＥ１の中間接続部ＷＥａ１を複数のフィルタ回路８１０のそれぞれの第１回路接続部材８１２に対して電気的に接続させる。また、この例示の第２電気接続構造８４０は、第２電線ＷＥ２の中間接続部ＷＥａ２を複数のフィルタ回路８１０のそれぞれの第２回路接続部材８１３に対して電気的に接続させる。
【０１８０】
第１電気接続構造８３０は、１つの接続部材（以下、「第１電気接続部材」という。）８３０Ａとして、金属等の導電性材料で成形されたものである（図２９）。この第１電気接続部材８３０Ａは、第１電線ＷＥ１の中間接続部ＷＥａ１に対して物理的且つ電気的に接続される第１電線側接続部８３１と、複数のフィルタ回路８１０のそれぞれの第１回路接続部材８１２に対して物理的且つ電気的に接続される第１回路側接続部８３２と、を有する（図２９）。この例示の第１電気接続部材８３０Ａは、板状のバスバとして成形されている。
【０１８１】
例えば、第１電線側接続部８３１は、先の第１電気接続部材６３０Ａの第１電線側接続部６３１と同様の形状のものとして形成する。
【０１８２】
一方、第１回路側接続部８３２は、矩形の平板状に形成し、一辺を複数のフィルタ回路８１０のそれぞれの第１回路接続部材８１２に挿入させ、それぞれの第１回路接続部材８１２の接点部同士で挟持させるように形成する。この第１回路側接続部８３２においては、それぞれの第１回路接続部材８１２の接点部同士で挟持されるそれぞれの部位が第１電気接続部材８３０Ａの第１接続部位８３３になる。よって、この第１回路側接続部８３２は、それぞれの第１接続部位８３３を複数のフィルタ回路８１０のそれぞれの第１回路接続部材８１２に挿入することによって、そのそれぞれの第１回路接続部材８１２に対して物理的且つ電気的に接続される。また、この第１電気接続部材８３０Ａは、その第１回路側接続部８３２をそれぞれの第１回路接続部材８１２から抜き取ることもできる。
【０１８３】
ここで、この第１回路側接続部８３２においては、隣り合うフィルタ回路８１０のそれぞれの第１回路接続部材８１２に対して接続される２つの第１接続部位８３３の間で、そのそれぞれの第１回路接続部材８１２を間接的に電気接続させる。また、この第１回路側接続部８３２は、そのそれぞれの第１回路接続部材８１２から抜き取ることによって、そのそれぞれの第１回路接続部材８１２の間を切り離すことができる。よって、この第１回路側接続部８３２は、隣り合う２つの第１接続部位８３３の間を先の第１連結体６５１として利用することができる。
【０１８４】
第２電気接続構造８４０は、１つの接続部材（以下、「第２電気接続部材」という。）８４０Ａとして、金属等の導電性材料で成形されたものである（図２９）。この第２電気接続部材８４０Ａは、第２電線ＷＥ２の中間接続部ＷＥａ２に対して物理的且つ電気的に接続される第２電線側接続部８４１と、複数のフィルタ回路８１０のそれぞれの第２回路接続部材８１３に対して物理的且つ電気的に接続される第２回路側接続部８４２と、を有する（図２９）。この例示の第２電気接続部材８４０Ａは、板状のバスバとして成形されている。
【０１８５】
例えば、第２電線側接続部８４１は、先の第２電気接続部材６４０Ａの第２電線側接続部６４１と同様の形状のものとして形成する。
【０１８６】
一方、第２回路側接続部８４２は、矩形の平板状に形成し、一辺を複数のフィルタ回路８１０のそれぞれの第２回路接続部材８１３に挿入させ、それぞれの第２回路接続部材８１３の接点部同士で挟持させるように形成する。この第２回路側接続部８４２においては、それぞれの第２回路接続部材８１３の接点部同士で挟持されるそれぞれの部位が第２電気接続部材８４０Ａの第２接続部位８４３になる。よって、この第２回路側接続部８４２は、それぞれの第２接続部位８４３を複数のフィルタ回路８１０のそれぞれの第２回路接続部材８１３に挿入することによって、そのそれぞれの第２回路接続部材８１３に対して物理的且つ電気的に接続される。また、この第２電気接続部材８４０Ａは、その第２回路側接続部８４２をそれぞれの第２回路接続部材８１３から抜き取ることもできる。
【０１８７】
ここで、この第２回路側接続部８４２においては、隣り合うフィルタ回路８１０のそれぞれの第２回路接続部材８１３に対して接続される２つの第２接続部位８４３の間で、そのそれぞれの第２回路接続部材８１３を間接的に電気接続させる。また、この第２回路側接続部８４２は、そのそれぞれの第２回路接続部材８１３から抜き取ることによって、そのそれぞれの第２回路接続部材８１３の間を切り離すことができる。よって、この第２回路側接続部８４２は、隣り合う２つの第２接続部位８４３の間を先の第２連結体６５２として利用することができる。
【０１８８】
このノイズフィルタ２Ｃは、第１電気接続部材８３０Ａを収容する第１筐体８２２Ａと、第２電気接続部材８４０Ａを収容する第２筐体８２２Ｂと、を備える（図２８）。その第１及び第２の筐体８２２Ａ，８２２Ｂは、合成樹脂等の絶縁性材料で成形する。
【０１８９】
第１筐体８２２Ａは、第１電気接続部材８３０Ａの他に、第１電線ＷＥ１の中間接続部ＷＥａ１についても収容する。この第１筐体８２２Ａは、少なくとも第１電気接続部材８３０Ａの第１電線側接続部８３１と第１電線ＷＥ１の中間接続部ＷＥａ１との間の着脱が可能な複数の筐体部材を互いに嵌め合わせて成る。この第１筐体８２２Ａは、第１電気接続部材８３０Ａにおける第１回路側接続部８３２のそれぞれの第１接続部位８３３を露出させる。
【０１９０】
第２筐体８２２Ｂは、第２電気接続部材８４０Ａの他に、第２電線ＷＥ２の中間接続部ＷＥａ２についても収容する。この第２筐体８２２Ｂは、少なくとも第２電気接続部材８４０Ａの第２電線側接続部８４１と第２電線ＷＥ２の中間接続部ＷＥａ２との間の着脱が可能な複数の筐体部材を互いに嵌め合わせて成る。この第２筐体８２２Ｂは、第２電気接続部材８４０Ａにおける第２回路側接続部８４２のそれぞれの第２接続部位８４３を露出させる。
【０１９１】
このノイズフィルタ２Ｃは、全ての部品を連結させた後、その全てを幹線ＷＴと一緒に粘着テープ等で巻き付けて、この幹線ＷＴに抱きかかえさせればよい。
【０１９２】
以上示したノイズフィルタ２Ｃ及びワイヤハーネスＷＨは、このように構成しても、先のノイズフィルタ２Ａ及びワイヤハーネスＷＨと同様の効果を得ることができる。
【０１９３】
［変形例２］
図３０から図３２の符号３は、本変形例のノイズフィルタを示す。このノイズフィルタ３は、前述した実施形態のノイズフィルタ１において、フィルタ回路における第１回路接続部材及び第２回路接続部材、第１電気接続構造、第２電気接続構造並びに筐体を次のように構成したものである。よって、実施形態のノイズフィルタ１（１Ａ等）に対して変更の無いもの又は微々たる変更のみのものについては、そのノイズフィルタ１（１Ａ等）が具備するものと同様の符号を付して、その説明を省略する。
【０１９４】
本変形例のフィルタ回路９１０は、ノイズ低減素子１１と第１回路接続部材９１２と第２回路接続部材９１３とを備える（図３２及び図３３）。
【０１９５】
この例示のフィルタ回路９１０は、併走させた第１電線ＷＥ１及び第２電線ＷＥ２の間に介装し、２つのノイズ低減素子１１を第１電線ＷＥ１及び第２電線ＷＥ２の軸線方向に並べて配置する（図３０から図３２）。
【０１９６】
第１回路接続部材９１２は、ノイズ低減素子１１の第１素子接続部に対して直接的に電気接続される素子接続部９１２ａと、第１電線ＷＥ１の中間接続部ＷＥａ１に対して間接的に電気接続される電気接続部９１２ｂと、を有する（図３２及び図３３）。第２回路接続部材９１３は、ノイズ低減素子１１の第２素子接続部に対して直接的に電気接続される素子接続部９１３ａと、第２電線ＷＥ２の中間接続部ＷＥａ２に対して間接的に電気接続される電気接続部９１３ｂと、を有する（図３２及び図３３）。この例示のフィルタ回路９１０においては、第１電線ＷＥ１及び第２電線ＷＥ２の軸線方向にて、電気接続部９１２ｂと電気接続部９１３ｂとで２つのノイズ低減素子１１を挟み込む。
【０１９７】
一方、本変形例の第１電気接続構造９３０は、併走させた第１電線ＷＥ１及び第２電線ＷＥ２の軸線方向に沿って挿入嵌合させることで互いを電気的に接続させる第１電線側接続体９３１と第１回路側接続体９３２とを備える（図３０から図３２）。また、本変形例の第２電気接続構造９４０は、併走させた第１電線ＷＥ１及び第２電線ＷＥ２の軸線方向に沿って挿入嵌合させることで互いを電気的に接続させる第２電線側接続体９４１と第２回路側接続体９４２とを備える（図３０から図３２）。
【０１９８】
第１電線側接続体９３１は、第１電線ＷＥ１の中間接続部ＷＥａ１に対して物理的且つ電気的に接続させる電線接続部９３１ａと、第１回路側接続体９３２に対して物理的且つ電気的に接続させる電気接続部９３１ｂと、を有する（図３１から図３３）。電線接続部９３１ａは、例えば、Ｕ字体の２つ片部を第１電線ＷＥ１の中間接続部ＷＥａ１に対して巻き付けながら加締めていくことによって、その中間接続部ＷＥａ１に対して物理的且つ電気的に接続させる。
【０１９９】
ここで、第１回路側接続体９３２は、第１回路接続部材９１２に設ける。ここでは、第１回路接続部材９１２の電気接続部９１２ｂを第１回路側接続体９３２として形成する（図３０から図３２）。第１電線側接続体９３１の電気接続部９３１ｂと第１回路側接続体９３２（第１回路接続部材９１２の電気接続部９１２ｂ）は、併走させた第１電線ＷＥ１及び第２電線ＷＥ２の軸線方向に沿って着脱可能な雌雄の端子接続構造体であり、その内の一方を雌端子部として形成し、その内の他方を雄端子部として形成する。この例示では、電気接続部９３１ｂを矩形の雄タブ形状の雄端子部として形成し、電気接続部９１２ｂを方体状のボックス型の雌端子部として形成する。電気接続部９１２ｂは、第１電線ＷＥ１及び第２電線ＷＥ２の軸線方向を筒軸方向にして配置された角筒状の収容部と、その収容部の内方に配置され、この収容部の内方に挿入されてきた電気接続部９３１ｂを弾発力に伴う保持力で嵌合させる弾性片部と、を有する。
【０２００】
第２電線側接続体９４１は、第２電線ＷＥ２の中間接続部ＷＥａ２に対して物理的且つ電気的に接続させる電線接続部９４１ａと、第２回路側接続体９４２に対して物理的且つ電気的に接続させる電気接続部９４１ｂと、を有する（図３１から図３３）。電線接続部９４１ａは、例えば、Ｕ字体の２つ片部を第２電線ＷＥ２の中間接続部ＷＥａ２に対して巻き付けながら加締めていくことによって、その中間接続部ＷＥａ２に対して物理的且つ電気的に接続させる。
【０２０１】
ここで、第２回路側接続体９４２は、第２回路接続部材９１３に設ける。ここでは、第２回路接続部材９１３の電気接続部９１３ｂを第２回路側接続体９４２として形成する（図３０から図３２）。第２電線側接続体９４１の電気接続部９４１ｂと第２回路側接続体９４２（第２回路接続部材９１３の電気接続部９１３ｂ）は、第１電気接続構造９３０の電気接続部９１２ｂ，９３１ｂと同じように、雌雄の端子接続構造体として形成する。この例示では、電気接続部９４１ｂを矩形の雄タブ形状の雄端子部として形成し、電気接続部９１３ｂを方体状のボックス型の雌端子部として形成する。
【０２０２】
筐体９２０は、実施形態のノイズフィルタ１（１Ａ等）と同じように、第１筐体部材９２１と第２筐体部材９２２とを互いに嵌め合わせることによって、フィルタ回路９１０と第１電線ＷＥ１の中間接続部ＷＥａ１と第２電線ＷＥ２の中間接続部ＷＥａ２とが収容される収容室９２０ａを形成する（図３０）。その収容室９２０ａには、第１電気接続構造９３０と第２電気接続構造９４０も収容される。
【０２０３】
本変形例の第１筐体部材９２１は、実施形態の第１筐体部材２１において、第１電線ＷＥ１の一方の端部側を外方に引き出させる第１引出口２１ｂ１を第１引出口９２１ｂ１に変更し、かつ、第２電線ＷＥ２の他方の端部側を外方に引き出させる第４引出口２１ｃ２を第４引出口９２１ｃ２に変更したものに相当する（図３１）。本変形例の第１引出口９２１ｂ１は、第１電線ＷＥ１の一方の端部側を外方に引き出させるだけの開口面積を有すると共に、この第１電線ＷＥ１側の電気接続部９３１ｂをフィルタ回路９１０側の電気接続部９１２ｂに挿入嵌合させる際の作業スペースのための開口面積を有する。これと同じように、本変形例の第４引出口９２１ｃ２は、第２電線ＷＥ２の他方の端部側を外方に引き出させるだけの開口面積を有すると共に、この第２電線ＷＥ２側の電気接続部９４１ｂをフィルタ回路９１０側の電気接続部９１３ｂに挿入嵌合させる際の作業スペースのための開口面積を有する。
【０２０４】
ここで、本変形例の第２筐体部材９２２には、挿入嵌合された電気接続部９３１ｂの電気接続部９１２ｂからの抜去を抑えるための第１係止突起部９２４と、挿入嵌合された電気接続部９４１ｂの電気接続部９１３ｂからの抜去を抑えるための第２係止突起部９２５と、を設けている（図３２）。第１係止突起部９２４と第２係止突起部９２５は、各々、主壁体２２ａの内壁面２２ａ１から突出させた突出体である。第１係止突起部９２４は、第１筐体部材９２１と第２筐体部材９２２とが嵌め合わされた際に、第１電線ＷＥ１及び第２電線ＷＥ２の軸線方向で、電気接続部９３１ｂにおける電気接続部９１２ｂ側とは逆側に対向配置させる。その際の第１係止突起部９２４と電気接続部９３１ｂとの間隔は、電気接続部９３１ｂが電気接続部９１２ｂに対して抜去方向に動いたとしても、この電気接続部９１２ｂ，９３１ｂ同士の電気接続状態を保ち得る大きさとする。第２係止突起部９２５は、第１筐体部材９２１と第２筐体部材９２２とが嵌め合わされた際に、第１電線ＷＥ１及び第２電線ＷＥ２の軸線方向で、電気接続部９４１ｂにおける電気接続部９１３ｂ側とは逆側に対向配置させる。その際の第２係止突起部９２５と電気接続部９４１ｂとの間隔は、電気接続部９４１ｂが電気接続部９１３ｂに対して抜去方向に動いたとしても、この電気接続部９１３ｂ，９４１ｂ同士の電気接続状態を保ち得る大きさとする。
【０２０５】
以上示したように、本変形例のノイズフィルタ３は、実施形態のノイズフィルタ１と同じように、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を介在させ、そのフィルタ回路１０をそれぞれの中間接続部ＷＥａ１，ＷＥａ２に対して電気的に接続させる。よって、本変形例のノイズフィルタ３は、実施形態のノイズフィルタ１と同じように、従来のような中間電線のノイズ成分をも考慮に入れたフィルタ回路特性の調整が不要な簡便なものとなっている。更に、本変形例のノイズフィルタ３は、実施形態のノイズフィルタ１と同じように、アース端子が不要なので、体格の小型化や軽量化を図ることができる。
【０２０６】
また更に、本変形例のノイズフィルタ３は、併走させた第１電線ＷＥ１及び第２電線ＷＥ２の間にフィルタ回路９１０を介装し、第１電線ＷＥ１及び第２電線ＷＥ２の軸線方向に並べて配置した２つのノイズ低減素子１１をその軸線方向で挟み込むように第１電気接続構造９３０と第２電気接続構造９４０とを配置している。そして、その第１電気接続構造９３０と第２電気接続構造９４０は、電気接続部９１２ｂ，９３１ｂ同士の嵌合方向と電気接続部９１３ｂ，９４１ｂ同士の嵌合方向とを第１電線ＷＥ１及び第２電線ＷＥ２の軸線方向に設定している。よって、本変形例のノイズフィルタ３は、併走させた第１電線ＷＥ１及び第２電線ＷＥ２の軸線方向と第１電線ＷＥ１及び第２電線ＷＥ２の配列方向とに対する直交方向（ここでは、第１筐体部材９２１と第２筐体部材９２２の嵌合方向）の体格の小型化を更に図ることができる。
【０２０７】
また更に、本変形例のノイズフィルタ３は、第１電線ＷＥ１及び第２電線ＷＥ２とフィルタ回路１０との間の電気的な接続に弾性を利用する実施形態のノイズフィルタ１とは異なり、その電気的な接続に、上記の如き嵌合方向に設定した端子接続構造を採っている。よって、本変形例のノイズフィルタ３は、体格の大型化を抑えつつ、組付け作業性を向上させることができる。
【０２０８】
また更に、本変形例のノイズフィルタ３は、第１係止突起部９２４と第２係止突起部９２５とによって、仮に第１電線ＷＥ１や第２電線ＷＥ２に外力が加えられたとしても、電気接続部９１２ｂ，９３１ｂ同士の電気接続状態と電気接続部９１３ｂ，９４１ｂ同士の電気接続状態とを保持することができる。よって、本変形例のノイズフィルタ３は、通電品質の向上を図ることができる。
【０２０９】
また、本変形例のワイヤハーネスＷＨは、そのようなノイズフィルタ３を具備するものであり、このノイズフィルタ３が得られる効果を奏することができる。
【０２１０】
［ノイズフィルタの取付構造］
以上に、上述した実施形態及び変形例１，２のノイズフィルタ１，２，３の相手方への取付構造について説明する。
【０２１１】
ノイズフィルタ１，２，３は、その何れにおいても、フィルタ回路と第１電気接続構造と第２電気接続構造と第１電線ＷＥ１の中間接続部ＷＥａ１と第２電線ＷＥ２の中間接続部ＷＥａ２とを内方の収容室に収容し、その収容室の中で併走させた第１電線ＷＥ１及び第２電線ＷＥ２のそれぞれの端部側を収容室の外に引き出す筐体を備える。以下においては、説明の便宜上、それぞれのノイズフィルタ１，２，３の筐体を筐体Ｃａと称する（図３５から図３８）。
【０２１２】
その筐体Ｃａは、第１電線ＷＥ１及び第２電線ＷＥ２を含む幹線ＷＴに対して第１テープＴａ１を一緒に巻き付けることで自らを幹線ＷＴに抱え込ませるための第１突出保持体Ｃａ１と、その幹線ＷＴに対して第２テープＴａ２を一緒に巻き付けることで自らを幹線ＷＴに抱え込ませるための第２突出保持体Ｃａ２と、を有する（図３５及び図３６）。
【０２１３】
第１突出保持体Ｃａ１は、収容室の外で第１電線ＷＥ１及び第２電線ＷＥ２の軸線方向の内の一方の第１突出方向に向けて突出させた突出体である。この第１突出保持体Ｃａ１は、その第１突出方向に向けて収容室の外に引き出された第１電線ＷＥ１及び第２電線ＷＥ２のそれぞれの一方の端部側で、かつ、幹線ＷＴから分岐させた第１電線ＷＥ１及び第２電線ＷＥ２のそれぞれの第１分岐部ＷＥｄに対向配置される対向配置部Ｃａ１１を有する（図３５及び図３６）。更に、この第１突出保持体Ｃａ１は、それぞれの第１分岐部ＷＥｄとは逆側で第１テープＴａ１を貼付させるテープ貼付部Ｃａ１２を有する（図３５及び図３６）。つまり、筐体Ｃａは、それぞれの第１分岐部ＷＥｄを第１突出保持体Ｃａ１と幹線ＷＴとの間に介在させ、かつ、第１突出保持体Ｃａ１と幹線ＷＴとを束ねた状態で、その第１突出保持体Ｃａ１と幹線ＷＴとを第１テープＴａ１で一緒に巻き付けていく。
【０２１４】
この例示の第１突出保持体Ｃａ１は、矩形の平板状に形成し、その内の一方の平面を対向配置部Ｃａ１１として利用し、その内の他方の平面をテープ貼付部Ｃａ１２として利用する。また、この例示の第１突出保持体Ｃａ１は、強度を確保するため、筐体Ｃａの外壁面と対向配置部Ｃａ１１とから各々垂設させたリブＲｂを有している（図３５及び図３６）。この例示のリブＲｂは、それぞれの第１分岐部ＷＥｄの間に介在させている。
【０２１５】
また、第２突出保持体Ｃａ２は、収容室の外で第１電線ＷＥ１及び第２電線ＷＥ２の軸線方向の内の他方の第２突出方向に向けて突出させた突出体である。この第２突出保持体Ｃａ２は、その第２突出方向に向けて収容室の外に引き出された第１電線ＷＥ１及び第２電線ＷＥ２のそれぞれの他方の端部側で、かつ、幹線ＷＴから分岐させた第１電線ＷＥ１及び第２電線ＷＥ２のそれぞれの第２分岐部ＷＥｅに対向配置される対向配置部Ｃａ２１を有する（図３５及び図３６）。更に、この第２突出保持体Ｃａ２は、それぞれの第２分岐部ＷＥｅとは逆側で第２テープＴａ２を貼付させるテープ貼付部Ｃａ２２を有する（図３５及び図３６）。つまり、筐体Ｃａは、それぞれの第２分岐部ＷＥｅを第２突出保持体Ｃａ２と幹線ＷＴとの間に介在させ、かつ、第２突出保持体Ｃａ２と幹線ＷＴとを束ねた状態で、その第２突出保持体Ｃａ２と幹線ＷＴとを第２テープＴａ２で一緒に巻き付けていく。
【０２１６】
この例示の第２突出保持体Ｃａ２は、矩形の平板状に形成し、その内の一方の平面を対向配置部Ｃａ２１として利用し、その内の他方の平面をテープ貼付部Ｃａ２２として利用する。また、この例示の第２突出保持体Ｃａ２は、強度を確保するため、筐体Ｃａの外壁面と対向配置部Ｃａ２１とから各々垂設させたリブＲｂを有している（図３５及び図３６）。この例示のリブＲｂは、それぞれの第２分岐部ＷＥｅの間に介在させている。
【０２１７】
この筐体Ｃａは、そのような第１突出保持体Ｃａ１と第２突出保持体Ｃａ２とを有しているので、それぞれの第１分岐部ＷＥｄとそれぞれの第２分岐部ＷＥｅとに負荷を与えることなく、第１テープＴａ１と第２テープＴａ２とで幹線ＷＴに抱え込ませることができる。つまり、この筐体Ｃａは、それぞれの第１分岐部ＷＥｄとそれぞれの第２分岐部ＷＥｅとを介したフィルタ回路側への負荷の伝達を抑制しつつ、第１テープＴａ１と第２テープＴａ２とで幹線ＷＴに抱え込ませることができる。従って、この筐体Ｃａを備えるノイズフィルタ１，２，３は、通電品質の向上を図ることができる。そして、ワイヤハーネスＷＨは、この筐体Ｃａをノイズフィルタ１，２，３に適用することで、このノイズフィルタ１，２，３と同じように、通電品質の向上を図ることができる。
【０２１８】
ここで、この筐体Ｃａは、設置対象物に対して保持させる保持体として、所謂錨型クリップＣＬｉを外壁面に突出状態で設けてもよい（図３５及び図３６）。例えば、この筐体Ｃａは、その錨型クリップＣＬｉを設置対象物としての車体Ｂｄの貫通孔Ｂｄ１に挿入し、その貫通孔Ｂｄ１の周縁部に錨型クリップＣＬｉを係止させることによって、幹線ＷＴに抱え込ませた状態で、その車体Ｂｄに保持させることができる。
【０２１９】
また、この筐体Ｃａは、設置対象物に対して保持させる保持体として、設置対象物としての車体Ｂｄの矩形の片部Ｂｄ２を挟持する挟持体Ｃａｈを設けてもよい（図３７）。その挟持体Ｃａｈは、例えば、筐体Ｃａの外壁面Ｃａｈ１と、その外壁面Ｃａｈ１に対して間隔を空けて対向配置された片持ちの可撓片部Ｃａｈ２と、を有する。この挟持体Ｃａｈにおいては、片部Ｂｄ２の一方の平面を外壁面Ｃａｈ１に対向配置させ、この片部Ｂｄ２の他方の平面を可撓片部Ｃａｈ２に対向配置させる。この挟持体Ｃａｈは、その外壁面Ｃａｈ１と可撓片部Ｃａｈ２との間に片部Ｂｄ２が挿入されることによって、外壁面Ｃａｈ１から離れる方向に可撓片部Ｃａｈ２を撓ませ、その撓みに抗する反力を可撓片部Ｃａｈ２の自由端側の爪部等から片部Ｂｄ２の他方の平面に作用させる。これにより、この挟持体Ｃａｈは、その外壁面Ｃａｈ１と可撓片部Ｃａｈ２との間に片部Ｂｄ２を挟持させる。よって、この筐体Ｃａは、幹線ＷＴに抱え込ませた状態で、その車体Ｂｄに保持させることができる。
【０２２０】
また、この筐体Ｃａは、テープ巻き付けのための第１突出保持体Ｃａ１及び第２突出保持体Ｃａ２に替えて、幹線ＷＴに巻き付けて自らを抱え込ませるバンドクランプ構造ＢＣを有していてもよい（図３８）。そのバンドクランプ構造ＢＣは、幹線ＷＴに巻き付けるバンド部ＢＣ１を備える。そのバンド部ＢＣ１には、長手方向に沿って矩形の貫通孔ＢＣ１１が間隔を空けて複数形成されており、かつ、その長手方向で貫通孔ＢＣ１１に連接させた係止部ＢＣ１２が貫通孔ＢＣ１１毎に形成されている。このバンドクランプ構造ＢＣにおいては、幹線ＷＴに巻き付けたバンド部ＢＣ１を相手方の挿入部ＢＣ２に先端から挿入し、その挿入部ＢＣ２に設けた突起部（図示略）をバンド部ＢＣ１の貫通孔ＢＣ１１に差し込むことによって、その突起部をバンド部ＢＣ１の係止部ＢＣ１２に係止させる。これにより、このバンドクランプ構造ＢＣは、筐体Ｃａを幹線ＷＴに抱え込ませた状態で車体Ｂｄに保持させる。
【０２２１】
このバンドクランプ構造ＢＣは、筐体Ｃａにおいて、幹線ＷＴに巻き付けた際にそれぞれの第１分岐部ＷＥｄとそれぞれの第２分岐部ＷＥｅとに負荷を与えることのない位置に設ける。従って、この筐体Ｃａを備えるノイズフィルタ１，２，３は、先のテープ巻き付け構造と同じように、通電品質の向上を図ることができる。そして、ワイヤハーネスＷＨは、この筐体Ｃａをノイズフィルタ１，２，３に適用することで、このノイズフィルタ１，２，３と同じように、通電品質の向上を図ることができる。
【符号の説明】
【０２２２】
１，１Ａ，１Ｂ，１Ｃ，１Ｄ，１Ｅ，１Ｆ，２，２Ａ，２Ｂ，２Ｃ，３  ノイズフィルタ
１０，６１０，７１０，８１０，９１０  フィルタ回路
１１  ノイズ低減素子
１２，３１２，５１２，６１２，７１２，８１２，９１２  第１回路接続部材
１３，３１３，５１３，６１３，７１３，８１３，９１３  第２回路接続部材
３０，３３０，４３０，５３０，６３０，７３０，８３０，９３０  第１電気接続構造
３１，９３１  第１電線側接続体
３２，３３２，５３２，９３２  第１回路側接続体
４０，３４０，４４０，５４０，６４０，７４０，８４０，９４０  第２電気接続構造
４１，９４１  第２電線側接続体
４２，３４２，５４２，９４２  第２回路側接続体
６１０Ａ，７１０Ａ  主フィルタ回路
６１０Ｂ，７１０Ｂ  副フィルタ回路
６３０Ａ，７３０Ａ，８３０Ａ  第１電気接続部材
６３１，７３１，８３１  第１電線側接続部
６３２，７３２，８３２  第１回路側接続部
６４０Ａ，７４０Ａ，８４０Ａ  第２電気接続部材
６４１，７４１，８４１  第２電線側接続部
６４２，７４２，８４２  第２回路側接続部
ＢＣ  バンドクランプ構造
Ｃａ  筐体
Ｃａ１  第１突出保持体
Ｃａ２  第２突出保持体
Ｃａ１１，Ｃａ２１  対向配置部
Ｃａ１２，Ｃａ２２  テープ貼付部
Ｔａ１  第１テープ
Ｔａ２  第２テープ
ＷＥ１  第１電線
ＷＥａ１  中間接続部
ＷＥ２  第２電線
ＷＥａ２  中間接続部
ＷＥａ  芯線
ＷＥｄ  第１分岐部
ＷＥｅ  第２分岐部
ＷＨ  ワイヤハーネス
ＷＴ  幹線
【図１】
2020014184.tif 000003
【図２】
2020014184.tif 000004
【図３】
2020014184.tif 000005
【図４】
2020014184.tif 000006
【図５】
2020014184.tif 000007
【図６】
2020014184.tif 000008
【図７】
2020014184.tif 000009
【図８】
2020014184.tif 000010
【図９】
2020014184.tif 000011
【図１０】
2020014184.tif 000012
【図１１】
2020014184.tif 000013
【図１２】
2020014184.tif 000014
【図１３】
2020014184.tif 000015
【図１４】
2020014184.tif 000016
【図１５】
2020014184.tif 000017
【図１６】
2020014184.tif 000018
【図１７】
2020014184.tif 000019
【図１８】
2020014184.tif 000020
【図１９】
2020014184.tif 000021
【図２０】
2020014184.tif 000022
【図２１】
2020014184.tif 000023
【図２２】
2020014184.tif 000024
【図２３】
2020014184.tif 000025
【図２４】
2020014184.tif 000026
【図２５】
2020014184.tif 000027
【図２６】
2020014184.tif 000028
【図２７】
2020014184.tif 000029
【図２８】
2020014184.tif 000030
【図２９】
2020014184.tif 000031
【図３０】
2020014184.tif 000032
【図３１】
2020014184.tif 000033
【図３２】
2020014184.tif 000034
【図３３】
2020014184.tif 000035
【図３４】
2020014184.tif 000036
【図３５】
2020014184.tif 000037
【図３６】
2020014184.tif 000038
【図３７】
2020014184.tif 000039
【図３８】
2020014184.tif 000040